(57)【要約】【課題】グラントフリーを用いたマルチプルアクセスにおいて、各端末装置の識別並びに上りリンクデータの信号検出の処理負荷の増大、識別精度の低下及び端末装置の識別のための制御情報の増加を抑えることが可能な基地局装置、端末装置及び通信方法を提供すること。【解決手段】基地局装置と通信をする端末装置であって、マルチアクセス署名プロセスインデックスを前記基地局装置から受信する受信部と、復調用参照信号と上りリンク物理チャネルを送信する送信部と、を備え、前記マルチアクセス署名プロセスインデックスは、グラントフリーアクセスよって送信される上りリンク物理チャネルを同定する目印の関連付けを示す情報であり、前記送信部は、前記復調用参照信号と関連付けられた上りリンク物理チャネルを同定する目印に基づいた処理を施した上りリンク物理チャネルを送信する。【選択図】図３
2019208086.tif 000002
【特許請求の範囲】
【請求項１】
基地局装置と通信をする端末装置であって、
マルチアクセス署名プロセスインデックスを前記基地局装置から受信する受信部と、
復調用参照信号と上りリンク物理チャネルを送信する送信部と、を備え、
前記マルチアクセス署名プロセスインデックスは、グラントフリーアクセスよって送信される上りリンク物理チャネルを同定する目印の関連付けを示す情報であり、
前記送信部は、前記復調用参照信号と関連付けられた上りリンク物理チャネルを同定する目印に基づいた処理を施した上りリンク物理チャネルを送信すること、を特徴とする端末装置。
【請求項２】
前記マルチアクセス署名プロセスインデックスは、前記基地局装置と通信するために設定されるセルＩＤに基づいて、前記復調用参照信号と前記上りリンク物理チャネルを同定する目印の関連付けを可変する設定を示すこと、を特徴とする請求項１に記載の端末装置。
【請求項３】
前記上りリンク物理チャネルを同定する目印は、拡散符号系列を含み、
前記送信部は、前記復調用参照信号と関連付けられた拡散符号系列が乗算された上りリンク物理チャネルを送信すること、を特徴とする請求項１又は請求項２に記載の端末装置。
【請求項４】
前記上りリンク物理チャネルを同定する目印はインターリーブパターンを含み、
前記送信部は、前記復調用参照信号と関連付けられたインターリーブが施された上りリンク物理チャネルを送信すること、を特徴とする請求項１から請求項３に記載の端末装置。
【請求項５】
前記上りリンク物理チャネルを同定する目印は上りリンクの送信電力を含み、
前記送信部は、前記復調用参照信号と関連付けられた送信電力によって制御された上りリンク物理チャネルを送信すること、を特徴とする請求項１から請求項４に記載の端末装置。
【請求項６】
前記マルチアクセス署名プロセスインデックスは、前記復調用参照信号と前記拡散符号系列を一意的に関連付けること、を特徴とする請求項３に記載の端末装置。
【請求項７】
前記マルチアクセス署名プロセスインデックスは、１つの復調用参照信号を複数の拡散符号系列との関連付けを行い、前記送信部は、前記複数の拡散符号系列から選択された１つの拡散符号系列が乗算された上りリンク物理チャネルを送信し、
再送時の上りリンク物理チャネルに乗算される拡散符号系列は、初送時の上りリンク物理チャネルに乗算される拡散符号系列と異なること、を特徴とする請求項２に記載の端末装置。
【請求項８】
前記受信部は、前記基地局装置からＵＥ  ＩＤを受信し、
前記マルチアクセス署名プロセスインデックスは、前記上りリンク物理チャネルを同定する目印とＵＥ  ＩＤグループと関連付けを示し、
前記ＵＥ  ＩＤグループは、  前記ＵＥ  ＩＤを含む複数のＵＥ  ＩＤから構成されること、を特徴とする請求項１から請求項７に記載の端末装置。
【請求項９】
基地局装置と通信をする端末装置の通信方法であって、
マルチアクセス署名プロセスインデックスを前記基地局装置から受信する第１のステップと、
復調用参照信号と上りリンク物理チャネルを送信する第２のステップと、を有し、
前記マルチアクセス署名プロセスインデックスは、グラントフリーアクセスよって送信される上りリンク物理チャネルを同定する目印の関連付けを示す情報であり、
前記第２のステップは、前記復調用参照信号と関連付けられた上りリンク物理チャネルを同定する目印に基づいた処理を施した上りリンク物理チャネルを送信すること、を特徴とする通信方法。
【請求項１０】
端末装置と通信をする基地局装置であって、
マルチアクセス署名プロセスインデックスを前記端末装置に送信する送信部と、
復調用参照信号と上りリンク物理チャネルを受信する受信部と、を備え、
前記マルチアクセス署名プロセスインデックスは、グラントフリーアクセスよって前記端末装置が送信する上りリンク物理チャネルを同定する目印の関連付けを示す情報であり、
前記受信部は、前記復調用参照信号と関連付けられた上りリンク物理チャネルを同定する目印に基づいて、前記上りリンク物理チャネルの受信処理を行うこと、を特徴とする基地局装置。
【請求項１１】
端末装置と通信をする基地局装置の通信方法であって、
マルチアクセス署名プロセスインデックスを前記端末装置に送信する第１のステップと、
復調用参照信号と上りリンク物理チャネルを受信する第２のステップと、を有し、
前記マルチアクセス署名プロセスインデックスは、グラントフリーアクセスよって前記端末装置が送信する上りリンク物理チャネルを同定する目印の関連付けを示す情報であり、
前記第２のステップは、前記復調用参照信号と関連付けられた上りリンク物理チャネルを同定する目印に基づいて、前記上りリンク物理チャネルの受信処理を行うこと、を特徴とする通信方法。
【発明の詳細な説明】
【技術分野】
【０００１】
本発明は、基地局装置、端末装置およびその通信方法に関する。
【背景技術】
【０００２】
３ＧＰＰ（Third Generation Partnership Project）で仕様化されているＬＴＥ（Long
Term Evolution）、ＬＴＥ−Ａ（LTE-Advanced）等の通信システムにおいて、端末装置
（ＵＥ：User Equipment）は、スケジューリング要求（ＳＲ：Scheduling Request）等を使用して、基地局装置（ｅＮｏｄｅＢ；evolved Node B）に、上りリンクデータを送信するための無線リソースを要求する。前記基地局装置は、ＳＲやＢＳＲを基に、各端末装置に上り送信許可（ＵＬ  Ｇｒａｎｔ）を与える。前記端末装置は、前記基地局装置からＵＬ  Ｇｒａｎｔに関する制御情報を受信すると、そのＵＬ  Ｇｒａｎｔに含まれる上りリンク送信パラメータに基づき、所定の無線リソースで上りリンクデータを送信する（スケジュールドアクセス、グラントベースアクセスと呼ばれる）。このように、基地局装置は、全ての上りリンクデータ送信を制御する（基地局装置は、各端末装置よって送信される上りリンクデータの無線リソースを把握している）。スケジュールドアクセスにおいて、基地局装置が上りリンク無線リソースを制御することにより、直交多元接続（ＯＭＡ：Orthogonal Multiple Access）が実現される。
【０００３】
３ＧＰＰでは、第５世代移動通信方式（５Ｇ）として、大量マシン型通信（ｍＭＴＣ：Massive Machine Type Communications）を実現する無線アクセス技術の仕様化が進めら
れている（非特許文献１）。ｍＭＴＣでは、端末装置やセンサ等の多数デバイスが小さいデータを送受信することを想定している。上りリンクｍＭＴＣのために、グラントフリーを用いたマルチプルアクセス(グラントフリーアクセス)が検討されている（非特許文献２）。グラントフリーアクセスにおいて、端末装置が、ＵＬ  Ｇｒａｎｔ受信等を行うことなく、基地局装置へ上りリンクデータを送信する。このため、グラントフリーアクセスでは、多数デバイスが小サイズデータの送信を行う場合でも、制御情報によるオーバーヘッドの増加を抑えることができる。さらに、グラントフリーアクセスでは、ＵＬ  Ｇｒａｎｔ受信等を行わないため、送信データの発生から送信までの時間も短くできる。
【先行技術文献】
【非特許文献】
【０００４】
【非特許文献１】“3rd Generation Partnership Project; Technical Specification Group Radio Access Network; Study on Scenarios and Requirements for Next Generation Access Technologies;(Release 14)”  3GPP TR 38.913 v0.3.0 (2016-03)
【非特許文献２】R1-165595, 3GPP TSG RAN WG1#85 Meeting, Nanjing, China, May 23-27, 2016
【発明の概要】
【発明が解決しようとする課題】
【０００５】
グラントフリーアクセスにおいて、各端末装置は、ＵＬ  Ｇｒａｎｔに依らず上りリンクデータを送信するため、基地局装置の受信アンテナ数を超える端末装置から送信された上りリンクデータが空間で非直交多重が許容される。また、上りリンクデータに拡散符号が乗算されている場合、同一の無線リソースにおいて、拡散率より大きい数の端末装置から送信された上りリンクデータが非直交に符号多重することが許容される（非直交多元接続（ＮＯＭＡ：Non-Orthogonal Multiple Access）と呼ばれる）。しかしながら、グラントフリーアクセスにおいて、基地局装置は、無線リソース割当て等を制御していない上りリンクデータ（いずれの上りリンクリソースで送信されるか把握していない上りリンクデ
ータ）を各端末装置から受信する。このため、基地局装置は、各端末装置の上りリンクデータの信号検出、復調、復号処理の過程により、端末装置の識別（ユーザ識別）を行うことになる。よって、基地局装置は、非直交多元接続された各端末装置の識別並びに上りリンクデータの信号検出の処理負荷の増大、識別精度の低下及び端末装置の識別のための制御情報の増加という問題がある。
【０００６】
本発明はこのような事情を鑑みてなされたものであり、その目的は、グラントフリーを用いたマルチプルアクセスにおいて、各端末装置の識別並びに上りリンクデータの信号検出の処理負荷の増大、識別精度の低下及び端末装置の識別のための制御情報の増加を抑えることが可能な基地局装置、端末装置及び通信方法を提供することにある。
【課題を解決するための手段】
【０００７】
上述した課題を解決するために本発明に係る基地局装置、端末装置および通信方法の構成は、次の通りである。
【０００８】
（１）本発明の一態様は、基地局装置と通信をする端末装置であって、マルチアクセス署名プロセスインデックスを前記基地局装置から受信する受信部と、復調用参照信号と上りリンク物理チャネルを送信する送信部と、を備え、前記マルチアクセス署名プロセスインデックスは、グラントフリーアクセスよって送信される上りリンク物理チャネルを同定する目印の関連付けを示す情報であり、前記送信部は、前記復調用参照信号と関連付けられた上りリンク物理チャネルを同定する目印に基づいた処理を施した上りリンク物理チャネルを送信すること、を特徴とする。
【０００９】
（２）また、本発明の一態様は、前記マルチアクセス署名プロセスインデックスは、前記基地局装置と通信するために設定されるセルＩＤに基づいて、前記復調用参照信号と前記上りリンク物理チャネルを同定する目印の関連付けを可変する設定を示すこと、を特徴とする。
【００１０】
（３）また、本発明の一態様は、前記上りリンク物理チャネルを同定する目印は、拡散符号系列を含み、前記送信部は、前記復調用参照信号と関連付けられた拡散符号系列が乗算された上りリンク物理チャネルを送信すること、を特徴とする。
【００１１】
（４）また、本発明の一態様は、前記上りリンク物理チャネルを同定する目印はインターリーブパターンを含み、前記送信部は、前記復調用参照信号と関連付けられたインターリーブが施された上りリンク物理チャネルを送信すること、を特徴とする。
【００１２】
（５）また、本発明の一態様は、前記上りリンク物理チャネルを同定する目印は上りリンクの送信電力を含み、  前記送信部は、前記復調用参照信号と関連付けられた送信電力によって制御された上りリンク物理チャネルを送信すること、を特徴とする。
【００１３】
（６）また、本発明の一態様は、前記マルチアクセス署名プロセスインデックスは、前記復調用参照信号と前記拡散符号系列を一意的に関連付けること、を特徴とする。
【００１４】
（７）また、本発明の一態様は、前記マルチアクセス署名プロセスインデックスは、１つの復調用参照信号を複数の拡散符号系列との関連付けを行い、前記送信部は、前記複数の拡散符号系列から選択された１つの拡散符号系列が乗算された上りリンク物理チャネルを送信し、再送時の上りリンク物理チャネルに乗算される拡散符号系列は、初送時の上りリンク物理チャネルに乗算される拡散符号系列と異なること、を特徴とする。
【００１５】
（８）また、本発明の一態様は、前記受信部は、前記基地局装置からＵＥ  ＩＤを受信
し、前記マルチアクセス署名プロセスインデックスは、前記上りリンク物理チャネルを同定する目印とＵＥ  ＩＤグループと関連付けを示し、前記ＵＥ  ＩＤグループは、  前記ＵＥ  ＩＤを含む複数のＵＥ  ＩＤから構成されること、を特徴とする。
【００１６】
（９）本発明の一態様は、基地局装置と通信をする端末装置の通信方法であって、マルチアクセス署名プロセスインデックスを前記基地局装置から受信する第１のステップと、復調用参照信号と上りリンク物理チャネルを送信する第２のステップと、を有し、前記マルチアクセス署名プロセスインデックスは、グラントフリーアクセスよって送信される上りリンク物理チャネルを同定する目印の関連付けを示す情報であり、前記第２のステップは、前記復調用参照信号と関連付けられた上りリンク物理チャネルを同定する目印に基づいた処理を施した上りリンク物理チャネルを送信すること、を特徴とする。
【００１７】
（１０）本発明の一態様は、端末装置と通信をする基地局装置であって、マルチアクセス署名プロセスインデックスを前記端末装置に送信する送信部と、復調用参照信号と上りリンク物理チャネルを受信する受信部と、を備え、前記マルチアクセス署名プロセスインデックスは、グラントフリーアクセスよって前記端末装置が送信する上りリンク物理チャネルを同定する目印の関連付けを示す情報であり、前記受信部は、前記復調用参照信号と関連付けられた上りリンク物理チャネルを同定する目印に基づいて、前記上りリンク物理チャネルの受信処理を行うこと、を特徴とする。
【００１８】
（１１）本発明の一態様は、端末装置と通信をする基地局装置の通信方法であって、マルチアクセス署名プロセスインデックスを前記端末装置に送信する第１のステップと、復調用参照信号と上りリンク物理チャネルを受信する第２のステップと、を有し、前記マルチアクセス署名プロセスインデックスは、グラントフリーアクセスよって前記端末装置が送信する上りリンク物理チャネルを同定する目印の関連付けを示す情報であり、前記受信ステップは、前記復調用参照信号と関連付けられた上りリンク物理チャネルを同定する目印に基づいて、前記上りリンク物理チャネルの受信処理を行うこと、を特徴とする。
【発明の効果】
【００１９】
本発明の一又は複数の態様によれば、グラントフリーを用いたマルチプルアクセスにおいて、各端末装置の識別並びに上りリンクデータの信号検出の処理負荷の増大、識別精度の低下及び端末装置の識別のための制御情報の増加を抑えることができる。
【図面の簡単な説明】
【００２０】
【図１】第１の実施形態に係る通信システムの例を示す図である。
【図２】第１の実施形態に係る通信システムの無線フレーム構成例を示す図である。
【図３】第１の実施形態に係る端末装置２０の構成を示す概略ブロック図である。
【図４】第１の実施形態に係る上りリンク物理チャネルマッピングの一例を示す図である。
【図５】第１の実施形態に係る上りリンク物理チャネルマッピングの別例を示す図である。
【図６】第１の実施形態に係るグラントフリーアクセスにおける設定パラメータの関連付けを指示するテーブルの一例である。
【図７】第１の実施形態における復調用参照信号インデックスがサイクリックインデックス／ＯＣＣインデックスと関連付けられる一例である。
【図８】第１の実施形態に係る本実施形態に係るグラントフリーアクセスにおける設定パラメータの関連付けを指示するテーブルの別例である。
【図９】第１の実施形態における復調用参照信号インデックスがサイクリックインデックス／ＯＣＣインデックスと関連付けられる別例である。
【図１０】第１の実施形態に係る本実施形態に係るグラントフリーアクセスにおける設定パラメータの関連付けを指示するテーブルの別例である。
【図１１】第１の実施形態に係る本実施形態に係る基地局装置１０の構成を示す概略ブロック図である。
【図１２】第１の実施形態に係る信号検出部の一例を示す図である。
【図１３】第１の実施形態に係るグラントフリーアクセスにおける基地局装置及び通信装置間のシーケンス例を示す図である。
【図１４】第２の実施形態に係るグラントフリーアクセスにおける設定パラメータの関連付けを指示するテーブルの一例である。
【図１５】第３の実施形態に係る通信システムの構成例を示す図である。
【図１６】第３の実施形態に係るグラントフリーアクセスにおける設定パラメータの関連付けを指示するテーブルの一例である。
【図１７】第４の実施形態に係るグラントフリーアクセスにおける設定パラメータの関連付けを指示するテーブルの一例である。
【図１８】第５の実施形態に係るグラントフリーアクセスにおける設定パラメータの関連付けを指示するテーブルの一例である。
【発明を実施するための形態】
【００２１】
本実施形態に係る通信システムは、基地局装置（セル、スモールセル、サービングセル、コンポーネントキャリア、ｅＮｏｄｅＢ、Ｈｏｍｅ  ｅＮｏｄｅＢ）および端末装置（端末、移動端末、ＵＥ:User Equipment）を備える。該通信システムにおいて、下りリン
クの場合、基地局装置は送信装置（送信点、送信アンテナ群、送信アンテナポート群）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００２２】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも
、適用することができる。この場合、端末装置がＭＴＣ端末となる。前記通信システムは、上りリンク及び下りリンクにおいて、ＤＦＴＳ−ＯＦＤＭ（Discrete Fourier Transform Spread - Orthogonal Frequency Division Multiplexing、SC-FDMAとも称される）、
ＯＦＤＭ等の伝送方式を用いることができる。前記通信システムは、フィルタを適用したＦＢＭＣ（Filter Bank Multi Carrier）、ｆ−ＯＦＤＭ（Filtered - OFDM）、ＵＦ−ＯＦＤＭ（Universal Filtered - OFDM）、Ｗ−ＯＦＤＭ（Windowing - OFDM）、スパース
符号を用いる伝送方式（ＳＣＭＡ：Sparse Code Multiple Access）などを用いることも
できる。さらに、前記通信システムは、ＤＦＴプレコーディングを適用し、上記のフィルタを用いる信号波形を用いてもよい。さらに、前記通信システムは、前記伝送方式において、符号拡散、インターリーブ、スパース符号等を施すこともできる。なお、以下では、上りリンクはＤＦＴＳ−ＯＦＤＭ（Discrete Fourier Transform Spread - Orthogonal Frequency Division Multiplexing、SC-FDMAとも称される）伝送を用い、下りリンクはＯ
ＦＤＭ伝送を用いた場合で説明するが、これに限らず、他の伝送方式を適用することができる。
【００２３】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００２４】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
（第１の実施形態）
図１は、本実施形態に係る通信システムの構成例を示す図である。本実施形態における通信システムは、基地局装置１０、端末装置２０−１〜２０−ｎ１（ｎ１は基地局装置１０と接続している端末装置数）を備える。端末装置２０−１〜２０−ｎ１を総称して端末装置２０とも称する。カバレッジ１０ａは、基地局装置１０が端末装置２０と接続可能な範囲（通信エリア）である（セルとも呼ぶ）。
【００２５】
図１において、基地局装置１０及び端末装置２０は、上りリンクにおいて、グラントフリー（グラントレス、コンテンションベースとも呼ばれる）を用いたマルチプルアクセス（グラントフリーアクセス）をサポートする。グラントフリーアクセスにおいて、端末装置２０は、基地局装置１０から上りリンク送信許可（ＵＬ  Ｇｒａｎｔ：アップリンクグラント、スケジューリンググラントとも呼ばれる。）の受信に依らず（ＵＬ  Ｇｒａｎｔの受信なしで）、上りリンクデータ（上り物理リンクチャネルなど）を送信する。基地局装置１０及び端末装置２０は、非直交マルチプルアクセスをサポートする。なお、基地局装置１０及び端末装置２０は、グラントフリーアクセス及びスケジュールドアクセスの両方をサポートすることもできる。基地局装置１０及び端末装置２０は、非直交マルチプルアクセス及び直交マルチプルアクセスの両方をサポートすることもできる。なお、ＵＬ  Ｇｒａｎｔは、物理上りリンク共有チャネルのスケジューリングのために使われる下りリンク制御情報（ＤＣＩ：Downlink Control Information）を用いて、基地局装置１０が、端末装置２０に対して、物理上りリンク共有チャネルにリソースブロックアサインメントを指示することである（例えば、ＬＴＥにおけるＤＣＩフォーマットに含まれる物理上りリンク共有チャネルのためのリソースブロック割当てフィールド）。
【００２６】
上りリンク物理チャネル送信のための下りリンク制御情報は、スケジュールドアクセスとグラントフリーアクセスで共有フィールドを含むことができる。この場合、基地局装置１０がグラントフリーアクセスで上りリンク物理チャネルを送信することを指示した場合、基地局装置１０及び端末装置２０は、前記共有フィールドに格納されたビット系列をグラントフリーアクセスのための設定（例えば、グラントフリーアクセスのために定義された参照テーブル）に従って解釈する。同様に、基地局装置１０がスケジュールドアクセスで上りリンク物理チャネルを送信することを指示した場合、基地局装置１０及び端末装置２０は、前記共有フィールドをスケジュールドアクセスのために設定に従って解釈する。グラントフリーアクセスにおける上りリンク物理チャネルの送信は、アシンクロナスデータ送信（Asynchronous data transmission）と称される。なお、スケジュールドにおける上りリンク物理チャネルの送信は、シンクロナスデータ送信（Synchronous data transmission）と称される。
【００２７】
グラントフリーアクセスにおいて、端末装置２０は、上りリンクデータを送信する無線リソースをランダムに選択するようにしてもよい。例えば、端末装置２０は、利用可能な複数の無線リソースの候補がリソースプールとして基地局装置１０から通知されており、該リソースプールからランダムに無線リソースを選択する。グラントフリーアクセスにおいて、端末装置２０が上りリンクデータを送信する無線リソースは、基地局装置１０によって予め設定されてもよい。この場合、端末装置２０は、予め設定された前記無線リソースを用いて、ＵＬ  Ｇｒａｎｔを受信せずに、前記上りリンクデータを送信する。前記無線リソースは、複数の上りリンクマルチアクセスリソース（上りリンクデータをマッピングすることができるリソース）から構成される。端末装置２０は、複数の上りリンクマルチアクセスリソースから選択した１又は複数の上りリンクマルチアクセスリソースを用い
て、上りリンクデータを送信する。なお、端末装置２０が上りリンクデータを送信する前記無線リソースは、基地局装置１０及び端末装置２０で構成される通信システムにおいて予め決定されていてもよい。前記上りリンクデータを送信する前記無線リソースは、基地局装置１０によって、報知チャネル／無線リソース制御ＲＲＣ（Radio Resource Control）／システムインフォメーション（例えば、ＳＩＢ：System Information Block）／下りリンク制御チャネル（下りリンク制御情報）を用いて、端末装置２０に通知されてもよい。
【００２８】
グラントフリーアクセスにおいて、前記上りリンクマルチアクセスリソースは、マルチアクセス物理リソースとマルチアクセス署名リソース（マルチアクセス署名リソース：Multi Access Signature Resource）で構成される。前記マルチアクセス物理リソースは、
時間領域と周波数領域からなるリソースで構成される。マルチアクセス物理リソースとマルチアクセス署名リソースは、各端末装置が送信した上りリンク物理チャネルを特定することに用いられうる。前記リソースブロックは、基地局装置１０及び端末装置２０が物理チャネル（例えば、物理データ共有チャネル、物理制御チャネル）をマッピングすることができる単位である。前記リソースブロックは、周波数領域において、複数のサブキャリア（例えば、１２サブキャリア、１６サブキャリア）から構成される。
【００２９】
図２は、本実施形態に係る通信システムの無線フレーム構成例を示す図である。無線フレーム構成は、時間領域のマルチアクセス物理リソースにおける構成を示す。１つの無線フレームは、複数のサブフレームから構成される。図２は、１つの無線フレームが１０個のサブフレームから構成される例である。端末装置２０は、リファレンスとなるサブキャリア間隔（リファレンスニューメロロジー）を持つ。前記サブフレームは、リファレンスとなるサブキャリア間隔において生成される複数のＯＦＤＭシンボルで構成される。図２は、１つのサブフレームが１４つのＯＦＤＭシンボルから構成される例である。
【００３０】
１つのスロットは、端末装置２０が上りリンクデータ送信に用いるサブキャリア間隔において生成される複数のＯＦＤＭシンボルから構成される。図２は、１つのスロットが１４つのＯＦＤＭシンボルから構成される例である。図２は、リファレンスとなるサブキャリア間隔と上りリンクデータ送信に用いるサブキャリア間隔が同一である場合である。この場合、１つのサブフレームは複数のスロットから構成される。図２は、１つのサブフレームが２つのスロットから構成される例である。本実施形態に係る通信システムは、スロットを、端末装置２０が物理チャネル（例えば、物理データ共有チャネル、物理制御チャネル）をマッピングする最小単位としてもよい。この場合、前記マルチアクセス物理リソースにおいて、１つのスロットが時間領域におけるリソースブロック単位となる。
【００３１】
１つのミニスロットは、端末装置２０が上りリンクデータ送信に用いるサブキャリア間隔において生成される複数のＯＦＤＭシンボル（例えば、２つ、４つ）から構成される。ミニスロット長は、スロット長より短い。図２は、１つのミニスロットが２つのＯＦＤＭシンボルから構成される例である。基地局装置１０は、スロット／ミニスロットを構成するＯＦＤＭシンボル数を設定してもよい。基地局装置１０は、スロット／ミニスロットを構成するＯＦＤＭシンボル数をシグナリングし、端末装置２０に通知するようにしてもよい。本実施形態に係る通信システムは、ミニスロットを、端末装置２０が物理チャネル（例えば、物理データ共有チャネル、物理制御チャネル）をマッピングする最小単位としてもよい。この場合、前記マルチアクセス物理リソースにおいて、１つのミニスロットが時間領域におけるリソースブロック単位となる。
【００３２】
マルチアクセス署名リソースは、複数のマルチアクセス署名群（マルチアクセス署名プールとも呼ばれる）のうち、少なくとも１つのマルチアクセス署名で構成される。マルチアクセス署名は、各端末装置が送信する上りリンク物理チャネルを区別（同定）する特徴
（目印、指標）を示す情報である。マルチアクセス署名は、空間多重パターン、拡散符号パターン（Ｗａｌｓｈ符号、ＯＣＣ；Orthogonal Cover Code、データ拡散用のサイクリ
ックシフト、スパース符号など）、インターリーブパターン、復調用参照信号パターン（参照信号系列、サイクリックシフト）、送信電力、等が含まれる。グラントフリーアクセスにおいて、端末装置は、マルチアクセスプールから選択した１つ又は複数のマルチアクセス署名を用いて、上りリンクデータを送信する。端末装置２０は、使用可能なマルチアクセス署名を基地局装置１０に通知することができる。基地局装置１０は、端末装置２０が上りリンクデータを送信する際に使用するマルチアクセス署名を端末装置に通知することができる。基地局装置１０は、端末装置２０が上りリンクデータを送信する際に使用可能なマルチアクセス署名群を端末装置に通知することができる。使用可能なマルチアクセス署名群は、報知チャネル／ＲＲＣ／システムインフォメーション／下りリンク制御チャネルを用いて、通知されてもよい。この場合、端末装置２０は、通知されたマルチアクセス署名群から選択したマルチアクセス署名を用いて、上りリンクデータを送信することができる。
【００３３】
端末装置２０は、マルチアクセスリソースを用いて、上りリンクデータを送信する。例えば、端末装置２０は、１つのマルチアクセス物理リソースと拡散符号パターンからなるマルチキャリア署名リソースで構成されるマルチアクセスリソースに、上りリンクデータをマッピングすることができる。端末装置２０は、１つのマルチアクセス物理リソースとインターリーブパターンからなるマルチキャリア署名リソースで構成されるマルチアクセスリソースに、上りリンクデータを割当てることもできる。端末装置２０は、１つのマルチアクセス物理リソースと復調用参照信号パターンからなるマルチアクセス署名リソースで構成されるマルチアクセスリソースに、上りリンクデータをマッピングすることもできる。端末装置２０は、１つのマルチアクセス物理リソースと送信電力パターンからなるマルチアクセス署名リソースで構成されるマルチアクセスリソースに、上りリンクデータをマッピングすることもできる（例えば、前記各上りリンクデータの送信電力は、基地局装置１０において受信電力差が生じるように、設定されてもよい。）このようなグラントフリーアクセスにおいて、本実施形態の通信システムでは、複数の端末装置２０が送信した上りリンクデータが、上りリンクマルチアクセス物理リソースにおいて、重複（衝突）して送信されること、を許容する。
【００３４】
基地局装置１０は、グラントフリーアクセスにおいて、各端末装置によって送信した上りリンクデータの信号を検出する。基地局装置１０は、前記上りリンクデータ信号を検出するために、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ、逐次干渉キャンセラ；ＳＩＣや並列干渉キャンセラ；ＰＩＣとも呼称される）、ターボ等化、送信信号候補の中から最もそれらしいものを探索する最尤検出（ＭＬ：maximum likelihood、Ｒ−ＭＬ：Reduced complexity maximum likelihood）、干渉信号を線形演算によって抑圧するＥＭＭＳＥ−ＩＲＣ（Enhanced Minimum Mean Square Error-Interference Rejection Combining）、メッセージパッシングによる信号検出などを備えても良い。なお、以下では、グラントフリー多元接続において、基地局装置が、ターボ等化等の高度な受信装置（Advanced Receiver）を適用して、非直
交多重された上りリンクデータ信号を検出する場合で説明するが、上りリンクデータ信号を検出できれば、これに限らない。例えば、ＭＲＣ（Maximal Ratio Combining）などの
マッチドフィルタを用いてもよい。
【００３５】
図１において、スケジュールドアクセス／グラントフリーアクセスを用いる上りリンク無線通信では、以下の上りリンク物理チャネルが含まれる。上りリンク物理チャネルは、上位層から出力された情報を送信するために使用される。
・物理上りリンク制御チャネル
・物理上りリンク共有チャネル
・物理ランダムアクセスチャネル
物理上りリンク制御チャネルは、上りリンク制御情報（ＵＣＩ：Uplink Control Information）を送信するために用いられる物理チャネルである。
【００３６】
上りリンク制御情報は、下りリンクデータ（下りリンクトランスポートブロック、ＤＬ−ＳＣＨ：Downlink-Shared Channel）に対する肯定応答（positive acknowledgement、
ＡＣＫ）／否定応答（negative acknowledgement、ＮＡＣＫ）を含む。ＡＣＫ／ＮＡＣＫは、送達確認を示す信号、ＨＡＲＱ−ＡＣＫ、ＨＡＲＱフィードバックとも称される。なお、上りリンク制御情報は、スケジュールドアクセスをサポートする場合、ＳＲ（Scheduling Request）を含めることができる。
【００３７】
上りリンク制御情報は、下りリンクのチャネル状態情報（ＣＳＩ：Channel State Information）を含む。前記チャネル状態情報は、好適な空間多重数（レイヤ数）を示すラン
ク指標（ＲＩ：Rank Indicator）、好適なプレコーダを示すプレコーディング行列指標（ＰＭＩ：Precoding Matrix Indicator）、好適な伝送レートを指定するチャネル品質指標（ＣＱＩ：Channel Quality Indicator）などを含む。前記ＰＭＩは、端末装置によって
決定されるコードブックを示す。該コードブックは、物理下りリンク共有チャネルのプレコーディングに関連する。前記ＣＱＩは、所定の帯域における好適な変調方式（例えば、ＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭなど）
、符号化率（coding rate）とすることができる。なお、グラントフリーアクセスの場合
、上りリンク制御情報を省略してもよい。
【００３８】
物理上りリンク共有チャネルは、上りリンクデータ（上りリンクトランスポートブロック、UL-SCH）を送信するために用いられる物理チャネルである。物理上りリンク共有チャネルは、下りリンクデータに対するＡＣＫ／ＮＡＣＫおよび／またはチャネル状態情報を送信するために用いられてもよい。物理上りリンク共有チャネルは、上りリンク制御情報を送信するために用いられてもよい。物理上りリンク共有チャネルは、上りリンクデータに巡回冗長検査（ＣＲＣ:Cyclic Redundancy Check）を付加して生成してもよい。ＣＲＣは、端末装置の識別子（ＵＥ  ＩＤ：User Equipment Identifierとも呼ぶ。）を表す系
列を用いてスクランブル（排他的論理和演算、マスク、暗号化とも呼ぶ。）されてもよい。ＵＥ  ＩＤとして、Ｃ−ＲＮＴＩ（Cell - Radio Network Temporary Identifier）、
Ｔｅｍｐｏｒａｒｙ  Ｃ−ＲＮＴＩ（Ｔ  Ｃ−ＲＮＴＩ）などを用いることができる。ＵＥ  ＩＤは、端末装置がセルアップデート手順により新しいセルにアクセスした時に、基地局装置によって、該端末装置に割り当てられうる。基地局装置は、各ＵＥ  ＩＤを、端末装置に通知してもよい。ＵＥ  ＩＤは、ランダムアクセス手順におけるメッセージ２(
ランダムアクセス応答、ＲＡＲ：Random Access Response)／メッセージ４(Contention Resolution)に含めることもできる。ＵＥ  ＩＤは、無線リソース制御（ＲＲＣ：Radio Resource Control）メッセージに含めることもできる。
【００３９】
グラントフリーアクセスにおいて、前記ＵＥ  ＩＤは、上りリンク物理チャネルの識別に用いられるパラメータ（例えば、参照信号／拡散符号／インターリーブパターン／送信電力制御の設定に関するパラメータ等）と関連付けられる。グラントフリーアクセスにおいて、前記ＵＥ  ＩＤは、マルチアクセス署名リソースに関するパラメータと関連付けられる。前記ＵＥ  ＩＤは、スケジューリングアクセスのための識別子と区別したグラントフリーアクセスのための識別子が定義されてもよい。
【００４０】
物理上りリンク共有チャネルは、ＲＲＣメッセージを送信するために用いられる。ＲＲ
Ｃメッセージは、無線リソース制御層において処理される情報／信号である。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。物理上りリンク共有チャネルは、ＭＡＣ  ＣＥ（Control Element）を送信するために用いられる。ＭＡＣ
ＣＥは、媒体アクセス制御（ＭＡＣ: Medium Access Control）層において処理（送信
）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。
【００４１】
物理ランダムアクセスチャネルは、ランダムアクセスに用いるプリアンブルを送信するために用いられる。グラントフリーアクセスにおいて、物理ランダムアクセスチャネルは省略することができる。
【００４２】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（ＤＭＲＳ： Demodulation Reference Signal）、サウンディング参照信号（ＳＲＳ： Sounding Reference Signal）が含まれる。
【００４３】
復調用参照信号は、物理上りリンク共有チャネルまたは物理上りリンク制御チャネルの送信に関連する。例えば、基地局装置１０は、物理上りリンク共有チャネルまたは物理上りリンク制御チャネルを復調する際の伝搬路補正を行うために復調用参照信号を使用する。復調用参照信号系列は、基地局装置１０のセルＩＤに関連付けて生成されうる。復調用参照信号系列は、サイクリックシフト及びＯＣＣ（Orthogonal Cover Code）を施して、
生成されうる。例えば、復調用参照信号系列ｒは、式（１）〜式（６）で表される。
【００４４】
【数１】
2019208086.tif 000003
【００４５】
ｍは、復調用参照信号がマッピングされるＯＦＤＭシンボル数に依存する（例えば、復調用参照信号が１つのリソースブロックあたり２つのＯＦＤＭシンボルにマッピングされる場合、ｍ＝０、１）。Ｍ＿ＳＣ＾ＲＳは復調用参照信号がマッピングされるサブキャリア数である。αはサイクリックシフト量である。Ｎ＿ＺＣ＾ＲＳ＜Ｍ＿ＳＣ＾ＲＳを充たす最大の素数である。ｎ＿ＤＭＲＳは、基地局装置１０によって設定されるサイクリックシフト量のパラメータである。ｎ＿ＤＭＲＳは、サイクリックシフトインデックスと対応付けられる。基地局装置１０は、下りリンク制御チャネル／ＲＲＣを用いて、端末装置２０にｎ＿ＤＭＲＳと対応付けられたサイクリックシフトインデックスを通知することができる。ｎ＿ＤＭＲＳは下りリンク制御チャネルを用いて通知される設定パラメータとＲＲＣを用いて通知される設定パラメータから構成されうる。ｒ（ｎ）＿ｕ，ｖは、復調用参照信号生成のための基本系列である。例えば、基本系列として、Ｚａｄｏｆｆ−Ｃｈｕ系
列が用いられる。ｒ（ｎ）＿ｕ，ｖは、セルＩＤを種(seed)としたＺａｄｏｆｆ−Ｃｈｕ系列とすることができる。基本系列ｒ（ｎ）＿ｕ，ｖは、パラメータαに基づいてサイクリックシフトされる。式（１）では、１つの基本系列から、サイクリックシフトされた基本系列ｒ（ｎ）＿ｕ，ｖ＾（α）が１２個生成されうる。
【００４６】
ＯＣＣ系列ｗは、サイクリックシフトされた基本系列ｒ（ｎ）＿ｕ，ｖ＾（α）に乗算される。復調用参照信号は、１又は複数のＯＦＤＭシンボルにマッピングされうる。ＯＣＣ系列ｗは、ＯＦＤＭシンボル毎（時間領域に対して）に乗算される。例えば、復調用参照信号が２つのＯＦＤＭシンボルに亘ってマッピングされる場合のＯＣＣ系列ｗ（ｍ）のパターン（ｍ＝０、１）は、［１  １］、［１  −１］の２つである。ｗ＝［１  −１］（すなわち、ｗ（０）＝１、ｗ（１）＝−１）が選択された場合、第１のＯＦＤＭシンボルにおけるＭ＿ＳＣ＾ＲＳ個のサブキャリアにマッピングされた系列には１が乗算され、第２のＯＦＤＭシンボルにおけるＭ＿ＳＣ＾ＲＳ個のサブキャリアにマッピングされた系列には−１が乗算される。ＯＣＣ系列ｗ（ｍ）のパターンは、ＯＣＣインデックスと対応付けられる。基地局装置１０は、下りリンク制御チャネル／ＲＲＣを用いて、ＯＣＣインデックスを端末装置２０に通知することができる。例えば、式（１）において、系列長２のＯＣＣが用いられる場合、１つの基本系列から最大２４個の復調用参照信号系列が生成されうる。なお。前記ｗは、サイクリックシフトインデックスと対応付けて、通知されてもよい。なお、復調用参照信号系列ｒは、レイヤ毎に生成されてもよい。
【００４７】
復調用参照信号系列は、周波数領域に対して拡散符号系列を乗算してもよい。例えば、各ＯＦＤＭシンボルのＭ＿ＳＣ＾ＲＳ個のサブキャリアにマッピングされた系列に対して拡散符号系列を乗算する。該拡散符号系列は、物理上りリンク共有チャネルに乗算される拡散符号系列と同一である。サウンディング参照信号は、物理上りリンク共有チャネルまたは物理上りリンク制御チャネルの送信に関連しない。例えば、基地局装置１０は、上りリンクのチャネル状態を測定（CSI Measurement）するためにサウンディング参照信号を
使用する。
【００４８】
図１において、スケジュールドアクセス／グラントフリーアクセスを用いる下りリンクの無線通信では、以下の下りリンク物理チャネルが用いられる。下りリンク物理チャネルは、上位層から出力された情報を送信するために使用される。
・物理報知チャネル
・物理下りリンク制御チャネル
・物理下りリンク共有チャネル
物理報知チャネルは、端末装置で共通に用いられるマスターインフォメーションブロック（Master Information Block: MIB, Broadcast Channel: BCH）を報知するために用い
られる。ＭＩＢは、システム情報である。物理報知チャネルは、ブロードキャストするシステム制御情報を含む。例えば、物理報知チャネルは、下りリンクシステム帯域、システムフレーム番号（ＳＦＮ：System Frame Number）、ｅＮＢによって使用される送信アン
テナ数などの情報を含む。物理報知チャネルは、再送要求指示を含むチャネル（ハイブリッド自動再送要求指示を含む）の設定情報を含めてもよい。物理報知チャネルは、グラントフリーアクセスをサポートする基地局装置か否かを示す情報を含めてもよい。物理報知チャネルは、グラントフリーアクセスに関する設定情報の一部又は全部を含めてもよい。
【００４９】
物理下りリンク制御チャネルは、下りリンク制御情報（ＤＣＩ：Downlink Control Information）を送信するために用いられる。下りリンク制御情報は、用途に基づいた複数のフォーマット（ＤＣＩフォーマットとも称する）が定義される。各フォーマットは、用途に応じて使われる。下りリンク制御情報は、下りリンクデータ送信のための制御情報と上りリンクデータ送信のための制御情報を含む。下りリンク制御情報は、上りリンクデータ（物理上りリンク共有チャネル）の再送に関する情報を含むことができる。
【００５０】
下りリンクデータ送信のためのＤＣＩフォーマットは、物理下りリンク共有チャネルのスケジューリングに用いられる。下りリンクデータ送信のためのＤＣＩフォーマットを、下りリンクグラント（または、下りリンクアサインメント）とも称する。下りリンクデータ送信のためのＤＣＩフォーマットには、物理下りリンク共有チャネルのリソース割り当てに関する情報、物理下りリンク共有チャネルに対するＭＣＳ（Modulation and Coding Scheme）に関する情報などの下りリンク制御情報が含まれる。下りリンクデータ送信のためのＤＣＩフォーマットは、物理上りリンクチャネル（例えば、物理上りリンク制御チャネル、物理上りリンク共有チャネル）に対する送信電力制御（ＴＰＣ：Transmission Power Control）を含めてもよい。下りリンクデータ送信のためのＤＣＩフォーマットは、グラントフリーアクセスに関する設定情報の一部又は全部を含めてもよい。
【００５１】
上りリンクデータ送信のためのＤＣＩフォーマットは、物理上りリンク共有チャネルの送信に関する制御情報を端末装置に通知するために用いられる。上りリンクデータ送信のためのＤＣＩフォーマットは、物理上りリンク共有チャネルのＭＣＳに関する情報、上りリンクデータ（物理上りリンク共有チャネル）の再送に関する情報、復調用参照信号のためのサイクリックシフトに関する情報、物理上りリンクチャネルに対する送信電力制御、下りリンクのチャネル状態情報（ＣＳＩ：Channel State Information、受信品質情報と
も称する。）要求（CSI request）、など上りリンク制御情報を含むことができる。上り
リンクデータ送信のためのＤＣＩフォーマットは、端末装置２０が使用可能なマルチアクセスリソース／使用可能なマルチアクセス署名リソース（使用可能なマルチアクセス署名群、使用可能なマルチアクセス署名）を含むことができる。上りリンクデータ送信のためのＤＣＩフォーマットは、グラントフリーアクセスに関する設定情報の一部又は全部を含めてもよい。グラントフリーアクセスに関する設定情報を通知するためのグラントフリーアクセス固有のＤＣＩフォーマットが定義されてもよい。なお、上りリンクデータ送信のためのＤＣＩフォーマットに含まれる１又は複数の情報は、下りリンクデータ送信のためのＤＣＩフォーマットに含めることもできる。
【００５２】
物理下りリンク制御チャネルは、下りリンク制御情報に巡回冗長検査（ＣＲＣ:Cyclic Redundancy Check）を付加して生成される。物理下りリンク制御チャネルにおいて、ＣＲＣは、端末装置の識別子（ＵＥ  ＩＤ）を用いてスクランブルされる。例えば、ＣＲＣは、セル無線ネットワーク一時的識別子（Ｃ−ＲＮＴＩ：Cell- Radio Network Temporary Identifier）を用いて、スクランブルされる。
【００５３】
物理下りリンク共有チャネルは、下りリンクデータ（下りリンクトランスポートブロック、DL-SCH）を送信するために用いられる。物理下りリンク共有チャネルは、システムインフォメーションメッセージ（ＳＩＢ：System Information Block）を送信するために用いられる。システムインフォメーションメッセージは、グラントフリーアクセスに固有なシステムインフォメーションブロックを含めてもよい。例えば、グラントフリーアクセスに固有なシステムインフォメーションブロックは、グラントフリーアクセスを行うマルチアクセス物理リソース（周波数帯域等）／マルチアクセス署名群／マルチアクセス署名の設定情報を含むことができる。グラントフリーアクセスに固有なシステムインフォメーションブロックは、上りリンクデータの識別に用いられるパラメータ（例えば、参照信号／拡散符号／インターリーブパターン／送信電力制御の設定に関するパラメータ等）を含むこともできる。なお、システムインフォメーションメッセージの一部又は全部は、ＲＲＣメッセージに含めることができる。
【００５４】
物理下りリンク共有チャネルは、ＲＲＣメッセージを送信するために用いられる。基地局装置から送信されるＲＲＣメッセージは、セル内における複数の端末装置に対して共通（セル固有）であってもよい。セル内の端末装置に共通な情報は、セル固有のＲＲＣメッ
セージを使用して送信されうる。基地局装置から送信されるＲＲＣメッセージは、ある端末装置に対して専用のメッセージ（dedicated signalingとも称する）であってもよい。
端末装置スペシフィック（ユーザ固有）な情報は、ある端末装置に対して専用のメッセージを使用して送信されうる。
【００５５】
ＲＲＣメッセージは、グラントフリーアクセスに関する設定情報のためのメッセージ（グラントフリーアクセス設定アシスト情報とも呼ばれる）を含むことができる。例えば、ＲＲＣメッセージは、グラントフリーアクセスを行うマルチアクセス物理リソース（周波数帯域等）／マルチアクセス署名群／マルチアクセス署名の設定情報を含むことができる。ＲＲＣメッセージは、上りリンクデータの識別に用いられるパラメータ（例えば、参照信号／拡散符号／インターリーブパターン／送信電力制御の設定に関するパラメータ等）を含むこともできる。ＲＲＣメッセージは、グラントフリーアクセス専用のメッセージであってもよい。グラントフリーアクセス固有な情報は、グラントフリーアクセス専用のメッセージを用いて送信されるようにしてもよい。
【００５６】
物理下りリンク共有チャネルは、ＭＡＣ  ＣＥを送信するために用いられる。ＲＲＣメッセージおよび／またはＭＡＣ  ＣＥを、上位層の信号（higher layer signaling）とも称する。
【００５７】
物理下りリンク共有チャネルは、巡回冗長検査（ＣＲＣ:Cyclic Redundancy Check）を付加して生成される。ＣＲＣは、端末装置の識別子（ＵＥ  ＩＤ）を用いてスクランブルされる。下りリンク物理チャネル（物理下りリンク共有チャネル、物理下りリンク制御チャネル）において、ＣＲＣをスクランブルするために用いられる識別子は、スケジューリングアクセスのための識別子と区別したグラントフリーアクセスのための識別子が定義されてもよい。例えば、下りリンク物理チャネルがスケジューリングアクセスを用いて送信され、上りリンク物理チャネルがグラントフリーアクセスを用いて送信される場合、上りリンクと下りリンクで異なる識別子を用いてもよい。
【００５８】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５９】
同期信号は、端末装置が、下りリンクの周波数領域および時間領域の同期を取るために用いられる。下りリンク参照信号は、端末装置が、下りリンク物理チャネルの伝搬路補正を行なうために用いられる。例えば、下りリンク参照信号は、物理報知チャネル、物理下りリンク共有チャネル、物理下りリンク制御チャネルを復調するために用いられる。下りリンク参照信号は、端末装置が、下りリンクのチャネル状態情報を算出（ｍｅａｓｕｒｅｍｅｎｔ）するために用いることもできる。また、各種チャネルを復調するために用いられる参照信号とｍｅａｓｕｒｅｍｅｎｔするために用いられる参照信号は異なってもよい（例えば、ＬＴＥにおけるＤＭＲＳ：Demodulation Reference Signal、ＣＲＳ：Cell-specific Reference Signal）。
【００６０】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６１】
ＢＣＨ、ＵＬ−ＳＣＨおよびＤＬ−ＳＣＨは、トランスポートチャネルである。ＭＡＣ
層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００６２】
図３は、本実施形態に係る端末装置２０の構成を示す概略ブロック図である。端末装置２０は、受信アンテナ２０２、受信部（受信ステップ）２０４、上位層処理部（上位層処理ステップ）２０６、制御部（制御ステップ）２０８、送信部（送信ステップ）２１０、送信アンテナ２１２を含んで構成される。受信部２０４は、無線受信部（無線受信ステップ）２０４０、多重分離部（多重分離ステップ）２０４２、復調部（復調ステップ）２０４４、復号部（復号ステップ）２０４６を含んで構成される。送信部２１０は、符号化部（符号化ステップ）２１００、変調部（変調ステップ）２１０２、ＤＦＴ部（ＤＦＴステップ）２１０４、拡散部（拡散ステップ）２１０６、多重部（多重ステップ）２１０８、無線送信部（無線送信ステップ）２１１０、上りリンク参照信号生成部（上りリンク参照信号生成ステップ）２１１２を含んで構成される。
【００６３】
受信部２０４は、受信アンテナ２０２を介して基地局装置１０からの受信した下りリンク信号（下りリンク物理チャネル、下りリンク物理信号）を多重分離、復調、復号する。受信部２０４は、受信信号から分離した制御チャネル（制御情報）を制御部２０８に出力する。受信部２０４は、復号結果を上位層処理部２０６に出力する。受信部２０４は、前記受信信号に含まれる上りリンク物理チャネル及び上りリンク参照信号の設定に関する情報（上りリンク送信に関する設定情報と呼ぶ）を取得する。上りリンク送信に関する設定情報は、グラントフリーアクセスに関する設定情報を含む（詳細は後述）。下りリンク信号は、端末装置２０のＵＥ  ＩＤを含むこともできる。
【００６４】
無線受信部２０４０は、受信アンテナ２０２を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４０は、変換したディジタル信号からＣＰ（Cyclic Prefix）に相当する部
分を除去し、ＣＰを除去した下りリンク信号に対して高速フーリエ変換を行い（ＯＦＤＭ変調に対する復調処理）、周波数領域の信号を抽出する。
【００６５】
多重分離部２０４２は、前記抽出した周波数領域の下りリンク信号に含まれる下りリンク物理チャネル（物理下りリンク制御チャネル、物理下りリンク共有チャネル、物理報知チャネル、等）、下りリンク参照信号等を、分離抽出する。多重分離部２０４２は、下りリンク参照信号を用いたチャネル測定機能（チャネル測定部）を含む。多重分離部２０４２は、前記チャネル測定結果を用いた下りリンク信号のチャネル補償機能（チャネル補償部）を含む。多重分離部は、下り物理下りリンクチャネルを復調部２０４４／制御部２０８に出力する。
【００６６】
復調部２０４４は、各下りリンク物理チャネルの変調シンボルそれぞれに対して、ＢＰＳＫ、ＱＰＳＫ、１６ＱＡＭ、６４ＱＡＭ、２５６ＱＡＭ等の予め定められた、または下りリンクグラントで予め通知した変調方式を用いて受信信号の復調を行なう。
【００６７】
復号部２０４６は、復調された各下りリンク物理チャネルの符号化ビットを、予め定められた符号化方式の、予め定められた、又は下りリンクグラントで予め通知した符号化率で復号を行ない、復号した下りリンクデータ／下りリンク受信に関する設定情報／上りリ
ンク送信に関する設定情報を上位層処理部２０６へ出力する。
【００６８】
制御部２０８は、下りリンク物理チャネル（物理下りリンク制御チャネル、物理下りリンク共有チャネル等）に含まれる下りリンク受信に関する設定情報／上りリンク送信に関する設定情報を用いて、受信部２０４及び送信部２１０の制御を行う。上りリンク送信に関する設定情報は、グラントフリーアクセスに関する設定情報を含むことができる。制御部２０８は、前記グラントフリーアクセスに関する設定情報に含まれるマルチアクセスリソース（マルチアクセス物理リソース／マルチアクセス署名リソース）に関する設定情報に従って、上りリンク参照信号生成部２１１２及び拡散部２１０６を制御する。図３において、制御部２０８は、前記グラントフリーアクセスに関する設定情報から算出される復調用参照信号の生成に用いられるパラメータや拡散符号系列に従って、上りリンク参照信号生成部２１１２及び拡散部２１０６を制御する。制御部２０８は、前記下りリンク受信に関する設定情報／上りリンク送信に関する設定情報を受信部２０４／上位層処理部２０６から取得する。下りリンク受信に関する設定情報／上りリンク送信に関する設定情報は、下りリンク物理チャネルに含まれる下りリンク制御情報（ＤＣＩ）から取得されうる。下りリンク受信に関する設定情報／上りリンク送信に関する設定情報は、下りリンク物理チャネルに含まれる下りリンク制御情報（ＤＣＩ）から取得されうる。前記グラントフリーアクセスに関する設定情報は、前記物理下りリンク制御チャネル／物理下りリンク共有チャネル／報知チャネルに含まれうる。下りリンク物理チャネルは、グラントフリーアクセス専用の物理チャネルを含んでも良い。この場合、前記グラントフリーアクセスに関す設定情報の一部又は全部は、グラントフリーアクセス専用の物理チャネルから取得されうる。なお、送信部２１０が物理上りリンク制御チャネルを送信する場合、制御部２０８は、上りリンク制御情報（ＵＣＩ：Uplink Control information）を生成し、送信部２１０に出力する。なお、制御部１０８の機能の一部は、上位層処理部１０２に含めることができる。
【００６９】
上位層処理部２０６は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０６は、自端末装置がサポートしている端末装置の機能（UE capability）に関する情報を送信部２１０に出力する。例えば、上位層処理部２０６は、
前記端末装置の機能に関する情報をＲＲＣ層でシグナリングする。
【００７０】
前記端末装置の機能に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７１】
前記端末装置の機能に関する情報は、グラントフリーアクセスをサポートすることを示す情報を含む。グラントフリーアクセスに対応する機能が複数ある場合、上位層処理部２０６は、機能毎にサポートするかどうかを示す情報を送信することができる。グラントフリーアクセスをサポートすることを示す情報は、自端末装置がサポートしているマルチアクセス物理リソース、マルチアクセス署名リソースを示す情報を含む。グラントフリーアクセスをサポートすることを示す情報は、前記マルチアクセス物理リソース、マルチアク
セス署名リソースの設定のための参照テーブルの設定を含んでもよい。グラントフリーアクセスをサポートすることを示す情報は、アンテナポート、スクランブリングアイデンティティ及びレイヤ数を示す複数のテーブルに対応している能力、所定数のアンテナポート数に対応している能力、所定の送信モードに対応している能力の一部又は全部を含んでも良い。送信モードは、アンテナポート数、送信ダイバーシチ、レイヤ数、グラントフリーアクセスのサポート等の有無により定められる。
【００７２】
上位層処理部２０６は、自端末装置の各種設定情報の管理をする。前記各種設定情報の一部は、制御部２０８に入力される。各種設定情報は、受信部２０４を介して下りリンク物理チャネルを用いて、基地局装置１０から受信される。前記各種設定情報は、受信部２０４から入力されたグラントフリーアクセスに関する設定情報を含む。前記グラントフリーアクセスに関する設定情報は、マルチアクセスリソース（マルチアクセス物理リソース、マルチアクセス署名リソース）の設定情報を含む。例えば、上りリンクのリソースブロック設定（リソースブロック当たりのＯＦＤＭシンボル数／サブキャリア数）、復調用参照信号の設定（参照信号系列、サイクリックシフト、マッピングされるＯＦＤＭシンボル等）、拡散符号設定（Ｗａｌｓｈ符号、ＯＣＣ；Orthogonal Cover Code、スパース符号
など）、インターリーブ設定、送信電力設定、送受信アンテナ設定、送受信ビームフォーミング設定、等のマルチアクセス署名リソースに関する設定（端末装置が送信した上りリンク物理チャネルを同定するための目印に基づいて施される処理に関する設定）が含まれうる。これらのマルチアクセス署名リソースは、直接的又は間接的に、関連付けられる（結び付けられる）。マルチアクセス署名リソースの関連付けは、マルチアクセス署名プロセスインデックスによって示される（詳細は後述）。また、前記グラントフリーアクセスに関する設定情報には、前記マルチアクセス物理リソース、マルチアクセス署名リソースの設定のための参照テーブルの設定が含まれてもよい。前記グラントフリーアクセスに関する設定情報は、グラントフリーアクセスのセットアップ、リリースを示す情報、上りリンクデータ信号に対するＡＣＫ／ＮＡＣＫの受信タイミング情報、上りリンクデータ信号の再送タイミング情報などを含めてもよい。
【００７３】
上位層処理部２０６は、グラントフリーアクセスに関する設定情報に基づいて、グラントフリーで上りリンクデータ（トランスポートブロック）を送信するマルチアクセスリソース（マルチアクセス物理リソース、マルチアクセス署名リソース）を管理する。上位層処理部２０６は、グラントフリーアクセスに関する設定情報に基づき、送信部２１０を制御するための情報を制御部２０８に出力する。上位層処理部２０６は、受信部２０４／制御部２０８から自端末装置のＵＥ  ＩＤを取得する。前記ＵＥ  ＩＤは、グラントフリーアクセスに関する設定情報に含めることもできる。
【００７４】
上位層処理部２０６は、ユーザの操作等によって生成された上りリンクデータ（例えば、ＤＬ−ＳＣＨ）を、送信部２１０に出力する。上位層処理部２０６は、ユーザの操作を介さず（例えば、センサにより取得されたデータ）に生成された上りリンクデータを、送信部２１０に出力することもできる。前記上りリンクデータには、ＵＥ  ＩＤを格納するフィールドを有しても良い。上位層処理部２０６は、前記上りリンクデータにＣＲＣを付加する。前記ＣＲＣのパリティビットは、前記上りリンクデータを用いて生成される。前記ＣＲＣのパリティビットは、自端末装置に割当てられたＵＥ  ＩＤでスクランブル（排他的論理和演算、マスク、暗号化とも呼ぶ）される。前記ＵＥ  ＩＤは、グラントフリーアクセスにおける端末装置固有の識別子を用いてもよい。
【００７５】
送信部２１０は、送信する上りリンクデータが発生した場合、基地局装置１０から送信されたグラントフリーアクセスに関する設定情報に基づいて、ＵＬ  Ｇｒａｎｔの受信なしで、物理上りリンク共有チャネルを送信する。送信部２１０は、制御部２０８から入力されたグラントフリーアクセスに関する設定に従って、物理上りリンク共有チャネル及び
それに関連付けられた復調用参照信号を生成する。
【００７６】
符号化部２１００は、予め定められた／制御部２０８が設定した符号化方式を用いて、上位層処理部２０６から入力された上りリンクデータを符号化する（リピティションを含む）。符号化方式は、畳み込み符号化、ターボ符号化、ＬＤＰＣ（Low Density Parity Check）符号化、Ｐｏｌａｒ符号化、等を適用することができる。前記符号化は、符号化率１／３に加え、低い符号化率１／６や１／１２などのマザーコードを用いてもよい。変調部２１０２は、符号化部２１００から入力された符号化ビットをＢＰＳＫ、ＱＰＳＫ、１６ＱＡＭ、６４ＱＡＭ、２５６ＱＡＭ等（π／２シフトＢＰＳＫ、π／２シフトＱＰＳＫも含んでもよい）の下りリンク制御情報で通知された変調方式または、チャネル毎に予め定められた変調方式で変調する。
【００７７】
拡散部２１０６は、変調部２１０２から出力される系列に対して、制御部２０８から入力される拡散符号系列の設定に従って拡散符号系列を乗算する。前記拡散符号系列の設定は、前記復調用参照信号などの他のグラントフリーアクセスに関する設定と関連付けられている（詳細は後述）。なお、拡散処理は、ＤＦＴ処理後の系列に対して行ってもよい。なお、拡散部２１０６は、マルチアクセス署名リソースとしてインターリーブが設定された場合、前記拡散部２１０６は、インターリーブ部に置換えることができる。インターリーブ部は、ＤＦＴ部から出力される系列に対して、制御部２０８から入力されるインタリーブパターンの設定に従ってインターリーブ処理を行う。マルチアクセス署名リソースとして符号拡散及びインターリーブが設定された場合、送信部２１０は、拡散部２１０６及びインターリーブ部を備える。その他のマルチアクセス署名リソースが適用された場合でも、同様である。
【００７８】
ＤＦＴ部２１０４は、拡散処理部２１０６から出力される拡散後の変調シンボルを並列に並び替えてから離散フーリエ変換（Discrete Fourier Transform: DFT）処理をする。
ここで，前記変調シンボルにゼロのシンボル列を付加して、ＤＦＴを行うことでＩＦＦＴ後の時間信号にＣＰの代わりにゼロ区間を使う信号波形としても良い。また、変調シンボルにＧｏｌｄ系列やＺａｄｏｆｆ−Ｃｈｕ系列などの特定の系列を付加して、ＤＦＴを行うことでＩＦＦＴ後の時間信号にＣＰの代わりに特定パターンを使う信号波形としても良い。ただし，信号波形をＯＦＤＭとする場合は、ＤＦＴを適用しない。制御部２０８は、前記グラントフリーアクセスに関する設定情報に含まれる前記ゼロのシンボル列の設定（シンボル列のビット数など）、前記特定の系列の設定（系列の種(seed)、系列長など）を用いて、制御する。
【００７９】
上りリンク参照信号生成部２１１２は、制御部２０８から入力される復調用参照信号の設定情報に従って、復調用参照信号を生成する。前記復調用参照信号の設定情報は、グラントフリーアクセスに関す設定（マルチアクセス物理リソース／マルチアクセス署名リソースに関する設定）と関連付けられている。復調用参照信号の設定情報は、基地局装置１０を識別するための物理セル識別子（physical cell identity: PCI、Cell IDなどと称される）、上りリンク参照信号をマッピングするサブキャリア数（帯域幅）、ＯＦＤＭシンボル数、サイクリックシフト、ＯＣＣ系列等のなどを基に、予め定められた規則（例えば、式（１））で求まる系列を生成する。
【００８０】
多重部２１０８は、上りリンク物理チャネル（ＤＦＴ部２１０４の出力信号）、上りリンク参照信号を送信アンテナポート毎に多重（マッピング）する。多重部２１０８は、上りリンク物理チャネル、上りリンク参照信号を送信アンテナポート毎にリソースエレメントに配置する。多重部２１０８は、ＳＣＭＡを用いる場合、制御部２０８から入力されるＳＣＭＡリソースパターンに従って、前記上りリンク物理チャネルをリソースエレメントに配置する。前記ＳＣＭＡリソースパターンは、前記グラントフリーアクセスに関する設
定情報に含まれ得る。
【００８１】
図４は、本実施形態に係る上りリンク物理チャネルマッピングの一例を示す図である。網掛け部は、復調用参照信号がマッピングされるリソースエレメントを示す。白抜き部は、上りリンク物理チャネルがマッピングされるリソースエレメントを示す。復調用参照信号は、リソースブロックを構成する複数のＯＦＤＭシンボル（図４では２つのＯＦＤＭシンボル）のうち、１つのＯＦＤＭシンボルにマッピングされる。復調用参照信号は、上りリンク物理チャネルがマッピングされる範囲のうち、少なくとも先頭のＯＦＤＭシンボルにマッピングされる。例えば、端末装置２０は、ＯＦＤＭシンボル＃０及び＃１からなる１つのリソースブロックで上りリンク物理チャネルを送信する場合、ＯＦＤＭシンボル＃０に上りリンク参照信号生成部２１１２で生成された復調用参照信号をマッピングし、ＯＦＤＭシンボル＃０に拡散部２１０６から出力された上りリンク物理チャネルをマッピングする。ＯＦＤＭシンボル＃０にマッピングされる復調用参照信号系列は、ＯＣＣ系列が乗算されていない系列である（ＯＣＣ系列ｗ（０）＝１が乗算されている系列である）。
【００８２】
図５は、本実施形態に係る上りリンク物理チャネルマッピングの別例を示す図である。（網掛け部は、復調用参照信号がマッピングされるリソースエレメントを示す。白抜き部は、上りリンク物理チャネルがマッピングされるリソースエレメントを示す）。復調用参照信号は、リソースブロックを構成する複数のＯＦＤＭシンボルのうち、複数のＯＦＤＭシンボルにマッピングされる。（図５は、７つのＯＦＤＭシンボルから構成される１つのリソースブロックのうち、２つのＯＦＤＭシンボルに復調用参照信号がマッピングされる設定例である（式（１）におけるｍ＝０、１）の設定例）。復調用参照信号は、上りリンク物理チャネルがマッピングされる範囲のうち、少なくとも先頭のＯＦＤＭシンボルにマッピングされる。例えば、端末装置２０は、ＯＦＤＭシンボル＃０から＃６からなる１つのリソースブロックで上りリンク物理チャネルを送信する場合、ＯＦＤＭシンボル＃０及び＃１に上りリンク参照信号生成部２１１２で生成された復調用参照信号をマッピングし、ＯＦＤＭシンボル＃２から＃６に拡散部２１０６から出力された上りリンク物理チャネルをマッピングする。ＯＦＤＭシンボル＃０及び＃１にマッピングされる復調参照信号系列は、時間領域にＯＣＣ系列が乗算される（ＯＦＤＭシンボル＃０にｍ＝０のＯＣＣ値ｗ（０）、ＯＦＤＭシンボル＃１にｍ＝１のＯＣＣ値ｗ（１）が乗算される）。
【００８３】
なお、復調用参照信号は、複数のＯＦＤＭシンボルに、所定の間隔でマッピングされてもよい。例えば、復調用参照信号は、ＯＦＤＭシンボル＃０、＃４、＃８、＃１２にマッピングされる。図４、５では、各端末装置が１つのリソースブロックを用いて上りリンク物理チャネルを送信する例であるが、これに限らない、例えば、端末装置２０は、周波数領域において複数のリソースブロックを用いて、上りリンク物理チャネルをマッピングすることもできる。また、復調用参照信号は、復調用参照信号がマッピングされるＯＦＤＭシンボルにおける一部のサブキャリアのみ（例えば、１サブキャリアおき）にマッピングされてもよい。
【００８４】
無線送信部２１１０は、多重された信号を逆高速フーリエ変換（Inverse Fast Fourier
Transform: IFFT）して、ＳＣ−ＦＤＭＡ方式の変調を行い、ＳＣ−ＦＤＭＡシンボル
を生成する。無線送信部２１１０は、前記ＳＣ−ＦＤＭＡシンボルにＣＰを付加し、ベースバンドのディジタル信号を生成する。さらに、無線送信部２１１０は、前記ベースバンドのディジタル信号をアナログ信号に変換し、余分な周波数成分を除去し、アップコンバートにより搬送周波数に変換し、電力増幅し、送信アンテナ２１２を介して基地局装置１０に送信する。無線送信部２１１０は、送信電力制御機能（送信電力制御部）を含む。前記送信電力制御は、制御部２０８から入力される送信電力の設定情報に従う。前記送信電力の設定情報は、前記グラントフリーアクセスに関す設定情報と関連付けられている。なお、ＦＢＭＣ、ＵＦ−ＯＦＤＭ、Ｆ−ＯＦＤＭが適用される場合、前記ＳＣ−ＦＤＭＡシ
ンボル（又はＯＦＤＭシンボル）に対して、サブキャリア単位又はサブバンド単位でフィルタ処理が行われる。
【００８５】
図６は、本実施形態に係るグラントフリーアクセスにおける設定パラメータの関連付けを指示するテーブルの一例である。マルチアアクセス署名プロセスインデックスは、グラントフリーアクセスにおける上りリンク物理チャネルを同定する目印の関連付けを示す情報である。図６では、マルチアアクセス署名プロセスインデックス（MA signature process index）が、復調用参照信号インデックス（DMRS Index）と拡散符号インデックス（Spreading Code Index）の関連付けを示す一例である。復調用参照信号インデックスは、拡散符号インデックスと、１対１に関連付けられる。復調用参照信号インデックスと拡散符号インデックスから形成されるペア（マルチアアクセス署名プロセスインデックス）が一意的になるように、復調用参照信号インデックスは、拡散符号インデックスと関連付けられる。図６は、マルチアアクセス署名プロセスインデックスを構成する復調用参照信号インデックス及び拡散符号インデックスが、８つの復調用参照信号系列と４つの拡散符号系列から選択される例である。基地局装置１０及び端末装置２０は、マルチアクセス署名プロセスインデックス（又は復調用参照信号インデックス）によって、復調用参照信号系列と拡散符号系列を一意的に特定（識別）することができる。基地局装置１０及び端末装置２０は、復調用参照信号インデックスによって、拡散符号系列を一意的に特定（識別）することができる。基地局装置１０及び端末装置２０は、あるセルにおいて、拡散符号インデックスを用いて、拡散符号を一意的に特定することができる（例えば、２ビットからなる拡散符号系列の場合、拡散符号インデックス（０，１，２，３）＝（［１  １  １  １］, ［１  −１  −１  １］, ［１  １  −１  −１］, ［１  −１  １  −１］））。基地局装置１０及び端末装置２０は、あるセルにおいて、復調用参照信号の生成に用いられるサイクリックシフトインデックス／ＯＣＣインデックスと関連付けられた復調用参照信号インデックスを用いて、復調用参照信号系列を一意的に特定（識別）することができる。図７は、復調用参照信号インデックスがサイクリックインデックス／ＯＣＣインデックスと関連付けられる一例である。図７は、図６における８つの復調用参照信号インデックスが、８つのサイクリックインデックスを用いて、一意的に定められる例である。図７において、ＯＣＣインデックスが明示されていない場合、ＯＣＣ系列ｗ（０）＝１とすることができる。
【００８６】
図８は、本実施形態に係るグラントフリーアクセスにおける設定パラメータの関連付けを指示するテーブルの別例である。復調用参照信号インデックスは、拡散符号インデックスと、１対１に関連付けられる。図８は、マルチアアクセス署名プロセスインデックスを構成する復調用参照信号インデックス及び拡散符号インデックスが、１６つの復調用参照信号と４つの拡散符号系列から選択される例である。基地局装置１０及び端末装置２０は、マルチアアクセス署名プロセスインデックス（又は復調用参照信号インデックス）によって、復調用参照信号系列と拡散符号系列を一意的に特定（識別）することができる。復調用参照信号インデックス及び拡散符号インデックスは各々、あるセルにおける復調用参照信号系列及び拡散符号系列を一意的に示す。図９は、復調用参照信号インデックスがサイクリックインデックス／ＯＣＣインデックスと関連付けられる別例である。図８における１６つの復調用参照信号インデックスは、図９に従って、８つのサイクリックインデックス／２つのＯＣＣインデックスを用いて、一意的に定められる例である。
【００８７】
図６、８では、復調用参照信号と拡散符号が関連付けられる場合で説明しているが、これに制限されるものではない。例えば、上りリンク物理チャネルにインターリーブが施される場合、図６、８の拡散符号インデックスは、インタリーブパターンインデックスと置換することができる。拡散符号及びインターリーブの両方が施される場合、復調用参照信号インデックスは、拡散符号インデックス及びインターリーブパターンインデックスが１対１に関連づけられる。この場合、基地局装置１０及び端末装置２０は、マルチアアクセ
ス署名プロセスインデックス（又は復調用参照信号インデックス）によって、復調用参照信号系列、拡散符号系列及びインターリーブパターンインデックスを一意的に特定（識別）することができる。
【００８８】
基地局装置１０及び端末装置２０は、図６〜図９の参照テーブルを予め保持している。基地局装置１０及び端末装置２０は、復調用参照信号を１つのＯＦＤＭシンボルにマッピングする設定の場合、図６を参照テーブルとする。基地局装置１０は、復調用参照信号を１つのＯＦＤＭシンボルにマッピングする設定の場合、図６のテーブルを参照する指示を端末装置２０に通知することができる。基地局装置１０及び端末装置２０は、復調用参照信号を２つのＯＦＤＭシンボルにマッピングする設定の場合、図８を参照テーブルとする。基地局装置１０は、復調用参照信号を２つのＯＦＤＭシンボルにマッピングする設定の場合、図８のテーブルを参照する指示を端末装置２０に通知することができる。参照テーブルの通知は、リソースブロックのＯＦＤＭシンボル数（スロット、ミニスロットのＯＦＤＭシンボル数）の通知と関連付けてもよい。参照テーブルを示す情報は、物理報知チャネル／ＲＲＣ／ＳＩＢ／下りリンク制御チャネルを用いて、通知されうる。
【００８９】
端末装置２０は、マルチアアクセス署名プロセスインデックスを基地局装置１０から受信する。マルチアアクセス署名プロセスインデックスは、ＲＲＣシグナリング／ＳＩＢ／下りリンク制御チャネルを用いて、通知されうる。制御部２０８は、受信部２０４／上位層処理部２０６から取得したマルチアアクセス署名プロセスインデックスから、参照テーブルに従って、復調用参照信号系列の生成のための各パラメータ（サイクリックシフト、ＯＣＣ系列）及び拡散符号系列を制御する。例えば、制御部２０８は、２つのＯＦＤＭシンボルに復調用参照信号系列をマッピングする旨を示す情報及びマルチアアクセス署名プロセスインデックス＃６（復調用参照信号インデックス＃６）が入力されると、図８及び図９の参照テーブルを用いて、復調用参照信号及び拡散符号生成のパラメータを制御する。この場合、制御部２０８は、サイクリックシフトインデックス＃３及びＯＣＣインデックス＃０を上りリンク参照信号生成部２１１２に入力する。さらに、拡散部２１０６に、拡散符号インデックス＃２を入力する。拡散部２１０６は、制御部２０８によって指示に従って、拡散符号系列を生成する。前記上りリンク参照信号生成部２１１２は、制御部２０８から指示されたサイクリックシフト及びＯＣＣ系列に従って、復調用参照信号を生成する。なお、基地局装置１０は、前記マルチアクセス署名プロセスインデックスに替えて、復調用参照信号インデックスを通知してよい。端末装置２０の制御部２０８は、前記復調用参照信号インデックススにより特定される拡散符号インデック用いて、受信部及び送信部を制御する。
【００９０】
以上のように、グラントフリーアクセスにおいて、復調用参照信号が上りリンク物理チャネルに施されるマルチアクセス署名リソースの設定パラメータ（拡散符号系列／インターリーブパターンなどの生成するパラメータ）と１対１に関連付けられる。端末装置２０は、復調用参照信号系列を特定するための情報（復調用参照信号インデックス）を取得することにより、復調用参照信号と関連付けて送信される上りリンク物理チャネルに施される拡散符号系列／インターリーブパターンを一意的に識別することができる。このため、基地局装置１０及び端末装置２０は、グラントフリーアクセスにおける上りリンク送信に関する設定情報を低減することができる。
【００９１】
なお、復調用参照信号インデックスの通知は、サイクリックシフトインデックス／ＯＣＣインデックスの通知で代替されてもよい。例えば、端末装置２０が、サイクリックシフトインデックス＃３及びＯＣＣインデックス＃０の通知を、基地局装置１０から受信した場合、制御部２０８は、復調用参照信号インデックス＃６と判断し、拡散符号インデックス＃２を拡散部２１０６に出力する。端末装置２０は、マルチアアクセス署名プロセスインデックスと復調用参照信号インデックスの両方を受信した場合、マルチアアクセス署名
プロセスインデックスに関連付けられた設定を優先するようにしてもよい。端末装置２０は、復調用参照信号インデックスとサイクリックシフトインデックス／ＯＣＣインデックスの両方を受信した場合、復調用参照信号インデックスに関連付けられた設定を優先するようにしてもよい。
【００９２】
図１０は、本実施形態に係るグラントフリーアクセスにおける設定パラメータの関連付けを指示するテーブルの別例である。１つのマルチアクセス署名プロセスインデックス（又は１つの復調用参照信号インデックス）は、複数の拡散符号インデックスパターンと関連付けられる例である。図１０において、１つのマルチアクセス署名プロセスインデックスは２つの拡散符号インデックスパターン（Spreading Code index0、Spreading Code index1）と関連付けられる。図１０の復調用参照信号インデックスは、図９の参照テーブルと関連付けられている。
【００９３】
各拡散符号インデックパターンは、再送回数（初送又は再送）と関連付けられる。端末装置２０の制御部２０８は、再送回数によって、参照する拡散符号インデックスパターンを変更する。例えば、端末装置２０は、再送回数が１の場合（初送の場合）、基地局装置から受信したマルチアクセス署名プロセスインデックスに関連付けられた拡散符号インデックスパターン０（Spreading Code index0）に従って、拡散符号系列を制御する。端末
装置２０は、再送回数が２の場合、基地局装置から受信したマルチアクセス署名プロセスインデックスに関連付けられた拡散符号インデックスパターン１（Spreading Code index1）に従って、拡散符号系列を制御する。さらに、再送回数が３の場合、基地局装置から
受信したマルチアクセス署名プロセスインデックスに関連付けられた拡散符号インデックスパターン０（Spreading Code index0）に従って、拡散符号系列を制御する。なお、拡
散符号インデックスパターン数は、これに制限されるものではない。
【００９４】
以上のように、１つのマルチアクセス署名プロセスインデックス（又は１つの復調用参照信号インデックス）は、複数の拡散符号インデックスパターンと関連付けられる。これにより、端末装置２０は、再送時に、再度、マルチアクセス署名プロセスインデックスの設定を受信することなく、拡散符号インデックスを変更することができる。このため、このため、基地局装置１０及び端末装置２０は、グラントフリーアクセスにおける上りリンク送信のオーバーヘッドの増加を抑えることができる。
【００９５】
図１１は、本実施形態における基地局装置１０の構成を示す概略ブロック図である。基地局装置１１は、上位層処理部（上位層処理ステップ）１０２、送信部（送信ステップ）１０４、送信アンテナ１０６、制御部（制御ステップ）１０８、受信アンテナ１１０、受信部（受信ステップ）１１２を含んで構成される。送信部１０４は、符号化部（符号化ステップ）１０４０、変調部（変調ステップ）１０４２、多重部（多重ステップ）１０４４、下りリンク制御信号生成部（下りリンク制御信号生成ステップ）１０４６、下りリンク参照信号生成部（下りリンク参照信号生成ステップ）１０４８及び無線送信部（無線送信ステップ）１０５０を含んで構成される。受信部１１２は、無線受信部（無線受信ステップ）１１２０、伝搬路推定部（伝搬路推定ステップ）１１２２、多重分離部（多重分離ステップ）１１２４及び信号検出部（信号検出ステップ）１１２６を含んで構成される。
【００９６】
上位層処理部１０２は、媒体アクセス制御（ＭＡＣ：Medium Access Control）層、パ
ケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層などの物理層より上位層の処理を行なう。上位層処理部１０２は、送信部１０４および受信部１１２の制御を行なうために必要な情報を生成し、制御部１０８に出力する。上位層処理部１０２は、下りリンクデータ（例えば、ＤＬ−ＳＣＨ）、報知情報（例えば、ＢＣＨ）、ハイブリッド自動再送要求（Hybrid Automatic Request）インジ
ケータ（ＨＡＲＱインジケータ）などを送信部１０４に出力する。
【００９７】
上位層処理部１０２は、端末装置の機能（UE capability）等の端末装置に関する情報
を、端末装置２０から（受信部１１２を介して）受信する。端末装置に関する情報は、グラントフリーアクセスをサポートすることを示す情報、その機能毎にサポートするかどうかを示す情報を含む。グラントフリーアクセスをサポートすることを示す情報、その機能毎にサポートするかどうかを示す情報は、送信モードで区別されてもよい。上位層処理部１０２は、端末装置２０がサポートしている送信モードによって、グラントフリーアクセスをサポートしているか判断することができる。
【００９８】
上位層処理部１０２は、ブロードキャストするシステムインフォメーション（ＭＩＢ、ＳＩＢ）を生成、又は上位ノードから取得する。上位層処理部１０２は、前記ブロードキャストするシステムインフォメーションを送信部１０４に出力する。前記ブロードキャストするシステムインフォメーションは、基地局装置１０がグラントフリーアクセスをサポートすることを示す情報を含めることができる。上位層処理部１０２は、前記システムインフォメーションに、グラントフリーアクセスに関する設定情報（マルチアクセス物理リソース、マルチアクセス署名リソースなどのマルチアクセスリソースに関する設定情報など）の一部又は全部を含めることができる。上りリンク前記システム制御情報は、送信部１０４において、物理報知チャネル／物理下りリンク共有チャネルにマッピングされる。
【００９９】
上位層処理部１０２は、物理下りリンク共有チャネルにマッピングされる下りリンクデータ（トランスポートブロック）、システムインフォメーション（ＳＩＢ）、ＲＲＣメッセージ、ＭＡＣ  ＣＥなどを生成、又は上位ノードから取得し、送信部１０４に出力する。上位層処理部１０２は、これらの上位層の信号にグラントフリーアクセスに関する設定情報、グラントフリーアクセスのセットアップ、リリースを示すパラメータの一部又は全部を含めることができる。上位層処理部１０２は、グラントフリーアクセスに関する設定情報を通知するための専用ＳＩＢを生成してもよい。
【０１００】
上位層処理部１０２は、グラントフリーアクセスをサポートしている端末装置２０に対して、マルチアクセスリソースをマッピングする。基地局装置１０は、図６から図１０のマルチアクセスリソースに関する設定パラメータの参照テーブルを保持する。上位層処理部１０２は、前記端末装置２０に対して、前記参照テーブルに従って、各設定パラメータを割当てる。例えば、上位層処理部１０２は、復調用参照信号を２つのＯＦＤＭシンボルにマッピングする設定を行う場合、図８、９のテーブルに従って、マルチアアクセス署名プロセスインデックスを各端末装置に割当てる。基地局装置１０は、接続を確立した端末装置２０に対して、前記マルチアアクセス署名プロセスインデックスをマッピングする。上位層処理部１０２は、前記マルチアアクセス署名プロセスインデックスを用いて、各端末装置に対するグラントフリーアクセスに関する設定情報を生成する（マルチアアクセス署名プロセスインデックスを含むグラントフリーアクセスに関する設定情報を生成する）。上位層処理部１０２は、各端末装置に対するグラントフリーアクセスに関する設定情報の一部又は全部を含む下りリンク共有チャネルを生成する。上位層処理部１０２は、前記グラントフリーアクセスに関する設定情報を、制御部１０８／送信部１０４に出力する。
【０１０１】
上位層処理部１０２は、各端末装置に対してＵＥ  ＩＤを設定し、通知する。ＵＥ  ＩＤは、無線ネットワーク一時的識別子（ＲＮＴＩ：Cell Radio Network Temporary Identifier）を用いることができる。ＵＥ  ＩＤは、下りリンク制御チャネル、下りリンク共
有チャネルに付加されるＣＲＣのスクランブルに用いられる。ＵＥ  ＩＤは、上りリンク共有チャネルに付加されるＣＲＣのスクランブリングに用いられる。ＵＥ  ＩＤは、上りリンク参照信号系列の生成に用いられる。上位層処理部１０２は、グラントフリーアクセス固有のＵＥ  ＩＤを設定してもよい。上位層処理部１０２は、グラントフリーアクセス
をサポートする端末装置か否かで区別して、ＵＥ  ＩＤを設定してもよい。例えば、下りリンク物理チャネルがスケジュールドアクセスで送信され、上りリンク物理チャネルがグラントフリーアクセスで送信される場合、下りリンク物理チャネル用ＵＥ  ＩＤは、下りリンク物理チャネル用ＵＥ  ＩＤと区別して設定してもよい。上位層処理部１０２は、前記ＵＥ  ＩＤに関する設定情報を、送信部１０４／制御部１０８／受信部１１２に出力する。
【０１０２】
上位層処理部１０２は、物理チャネル（物理下りリンク共有チャネル、物理上りリンク共有チャネルなど）の符号化率、変調方式（あるいはＭＣＳ）および送信電力などを決定する。上位層処理部１０２は、前記符号化率／変調方式／送信電力を送信部１０４／制御部１０８／受信部１１２に出力する。上位層処理部１０２は、前記符号化率／変調方式／送信電力を上位層の信号に含めることができる。
【０１０３】
制御部１０８は、上位層処理部１０２から入力された各種設定情報に基づいて、送信部１０４および受信部１１２の制御を行なう。制御部１０８は、上位層処理部１０２から入力された下りリンク送信及び上りリンク送信に関する設定情報に基づいて、下りリンク制御情報（ＤＣＩ）を生成し、送信部１０４に出力する。制御部１０８は、下りリンク制御情報に、前記グラントフリーアクセスに関する設定情報の一部又は全部を含めることができる。
【０１０４】
制御部１０８は、上位層処理部１０２から入力された前記グラントフリーアクセスに関する設定情報に従って、受信部１１２を制御する。制御部１０８は、上位層処理部１０２から入力されたマルチアクセス署名プロセスインデックスに従って、伝搬路推定部１１２２に対して、チャネル推定及び端末装置の識別に用いる復調用参照信号系列を制御する。制御部１０８は、前記マルチアクセス署名プロセスインデックス（又は復調用参照信号インデックス）に関連付けられた拡散符号インデックスに従って、信号検出部１１２６に対して、逆拡散に用いる拡散符号系列を制御する。なお、制御部１０８の機能は、上位層処理部１０２に含めることができる。
【０１０５】
送信部１０４は、各端末装置のために、上位層処理部１０２から入力された報知情報、下りリンク制御情報、下りリンク共有チャネル等を符号化および変調し、物理報知チャネル、物理下りリンク制御チャネル、物理下りリンク共有チャネルを生成する。符号化部１０４０は、予め定められた／上位層処理部１０２が決定した符号化方式を用いて、報知情報、下りリンク制御情報、下りリンク共有チャネルを符号化する（リピティションを含む）。符号化方式は、畳み込み符号化、ターボ符号化、ＬＤＰＣ（Low Density Parity Check）符号化、Ｐｏｌａｒ符号化、等を適用することができる。変調部１０４２は、符号化部１０４０から入力された符号化ビットをＢＰＳＫ、ＱＰＳＫ、１６ＱＡＭ、６４ＱＡＭ、２５６ＱＡＭ等の予め定められた／上位層処理部１０２が決定した変調方式で変調する。
【０１０６】
下りリンク制御信号生成部１０４６は、制御部１０８から入力される下りリンク制御情報にＣＲＣを付加して、物理下りリンク制御チャネルを生成する。下りリンク制御情報は、グラントフリーアクセスに関する設定情報の一部又は全部を含む。前記ＣＲＣは、各端末装置に割当てられたＵＥ  ＩＤでスクランブルされる。下りリンク参照信号生成部１０４８は、下りリンク参照信号を生成する。前記下りリンク参照信号は、基地局装置１０を識別するためのＵＥ  ＩＤなどの基に予め定められた規則で求まる。
【０１０７】
多重部１０４４は、変調された各下りリンク物理チャネルの変調シンボル、物理下りリンク制御チャネルと下りリンク参照信号をリソースエレメントにマッピングする。多重部１０４４は、物理下りリンク共有チャネル、物理下りリンク制御チャネルを、各端末装置
に割当てられたリソースにマッピングする。
【０１０８】
無線送信部１０５０は、多重された各下りリンク物理チャネルの変調シンボルを逆高速フーリエ変換（Inverse Fast Fourier Transform: IFFT）してＯＦＤＭシンボルを生成する。無線送信部１０５０は、前記ＯＦＤＭシンボルにサイクリックプレフィックス（cyclic prefix: CP）を付加してベースバンドのディジタル信号を生成する。さらに、無線送
信部１０５０は、前記ディジタル信号をアナログ信号に変換し、フィルタリングにより余分な周波数成分を除去し、搬送周波数にアップコンバートし、電力増幅し、送信アンテナ１０６に出力して送信する。
【０１０９】
受信部１１２は、グラントフリーアクセスによって端末装置２０から送信された上りリンク物理チャネルを、該チャネルに関連付けられた復調用参照信号を用いて検出する。受信部１１２は、各端末装置に対して設定したグラントフリーアクセスに関する設定情報に基づいて、各端末装置の端末装置の識別及び上りリンク物理チャネルの検出を行う。
【０１１０】
無線受信部１１２０は、受信アンテナ１１０を介して受信した上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
【０１１１】
伝搬路推定部１１２２は、復調用参照信号を用いて、端末装置の識別及び上りリンク物理チャネルの信号検出のためのチャネル推定を行う。伝搬路推定部１１２２には、復調用参照信号がマッピングされているリソース（図４、５の網掛け部）及び各端末装置に割当てた復調用参照信号系列（各端末装置にマッピングしたマルチアクセス署名インデックスに基づく復調用参照信号系列）が制御部１０８から入力される。伝搬路推定部１１２２は、前記復調用参照信号系列を用いて、基地局装置１０と端末装置２０の間のチャネル状態（伝搬路状態）を測定する。例えば、上位層処理部１０２が、図８の参照テーブルに基づいて、端末装置２０−１から端末装置２０−８に対して、復調用参照信号インデックス＃０〜＃７を順に割当てた場合、伝搬路推定部１１２２は、復調用参照信号がマッピングされるリソースにおいて、８つの復調用参照信号（復調用参照信号インデックス＃０〜＃７）を用いて、ブラインドでチャネル推定（例えば、前記復調用参照信号系列を用いた相関処理及びフィルタリング処理）を行う。伝搬路推定部１１２２は、チャネル推定の結果（チャネル状態のインパルス応答、周波数応答）を用いて、端末装置の識別を行うことができる（このため、識別部とも称する）。伝搬路推定部１１２２は、チャネル状態の抽出に成功した復調用参照信号に関連付けられる端末装置が、上りリンク物理チャネルを送信したと判断する。多重分離部１１２４は、伝搬路推定部１１２２が上りリンク物理チャネルが送信されたと判断したリソースにおいて、無線受信部１１２０から入力された周波数領域の信号（複数の端末装置の信号が含まれる）を抽出する。
【０１１２】
信号検出部１１２６は、前記チャネル推定結果及び多重分離部１１２４から入力される前記周波数領域の信号を用いて、各端末装置の上りリンクデータ（上りリンク物理チャネル）の信号を検出する。信号検出部１１２６は、上りリンクデータを送信したと判断した端末装置に割当てた復調用参照信号（チャネル状態の抽出に成功した復調用参照信号）に関連付けられた拡散符号系列を用いて、信号検出処理を行う。
【０１１３】
上位層処理部１０２は、信号検出部１１２６から各端末装置の復号後の上りリンクデータ（硬判定後のビット系列）を取得する。上位層処理部１０２は、各端末装置の復号後の
上りリンクデータに含まれるＣＲＣに対して、各端末に割当てたＵＥ  ＩＤを用いて、デスクランブル（排他的論理和演算）を行う。上位層処理部１０２は、デスクランブルによる誤り検出の結果、上りリンクデータに誤りが無い場合、端末装置の識別を正しく完了し、該端末装置から送信された上りリンクデータを正しく受信できたと判断する。
【０１１４】
図１２は、本実施形態に係る信号検出部の一例を示す図である。信号検出部１１２６は、キャンセル部１５０２、等化部１５０４、逆拡散部１５０６−１〜１５０６−ｕ、ＩＤＦＴ部１５０８−１〜１５０８−ｕ、復調部１５１０−１〜１５１０−ｕ、復号部１５１２−１〜１５１２−ｕ、レプリカ生成部１５１４から構成される。ｕは、同一又は重複するマルチアクセス物理リソースにおいて（同一時間及び同一周波数において）、伝搬路推定部１１２２が上りリンクデータを送信したと判断（チャネル状態の抽出に成功）した端末装置数である。信号検出部１１２６を構成する各部位は、制御部１０８から入力される各端末装置のグラントフリーアクセスに関する設定を用いて、制御される。
【０１１５】
キャンセル処理部１５０１は、多重分離部１１２４から入力される周波数領域の信号（各端末装置の信号が含まれる）から、レプリカ生成部１５１４から入力されたソフトレプリカを減算する（キャンセル処理）。等化部１５０４は、伝搬路推定部１１２２より入力された周波数応答よりＭＭＳＥ規範に基づく等化重みを生成する。等化部１５０４は、該等化重みをソフトキャンセル後の周波数領域の信号に乗算し、各端末装置の周波数領域の信号を抽出する。等化部１５０４は、等化後の各端末装置の周波数領域の信号をＩＤＦＴ部１５０８−１〜１５０８−ｕに出力する。
【０１１６】
ＩＤＦＴ部１５０８−１〜１５０８−ｕは、等化後の各端末装置の周波数領域の信号を時間領域の信号に変換する。なお、ＩＤＦＴ部１５０８−１〜１５０８−ｕは、端末装置２０のＤＦＴ部２１０４で施された処理に対応する。逆拡散部１５０６−１〜１５０６−ｕは、ＩＤＦＴ後の各端末装置の時間領域の信号に対して、拡散符号系列を乗算する（逆拡散処理）。逆拡散部１５０６−１〜１５０６−ｕの各々は、各端末装置に割当てられた復調用参照信号インデックスに関連付けられた拡散符号系列を用いて、逆拡散処理を行う。端末装置２０において、ＤＦＴ後の信号に対して拡散処理が行われている場合、ＩＤＦＴ前の信号に対して、逆拡散処理が施される。なお、マルチアクセス署名リソースとしてインターリーブが適用される場合、ＩＤＦＴ後の各端末装置の時間領域の信号に対して、デインタリーブ処理が行われる（デインターリーブ部）。デインターリーブ部は、各端末装置に割当てられた復調用参照信号インデックスに関連付けられたインターリーブパターンを用いて、デインタリーブ処理が行われる。
【０１１７】
復調部１５１０−１〜１５１０−ｕには、予め通知されている、又は予め決められている各端末装置の変調方式の情報が制御部１０８から入力される。復調部１５１０−１〜１５１０−ｕは、前記変調方式の情報に基づき、逆拡散後の信号に対して復調処理を施し、ビット系列のＬＬＲ（Log Likelihood Ratio）を出力する。
【０１１８】
復号部１５１２−１〜１５１２−ｕには、予め通知されている、又は予め決められている符号化率の情報が制御部１０８から入力される。復号部１５１２−１〜１５１２−ｕは、前記復調部１５１０−１〜１５１０−ｕから出力されたＬＬＲの系列に対して復号処理を行う。逐次干渉キャンセラ（ＳＩＣ: Successive Interference Canceller）やターボ
等化等のキャンセル処理を行うために、復号部１５１２−１〜１５１２−ｕは、復号部出力の外部ＬＬＲもしくは事後ＬＬＲをレプリカ生成部１５１４に出力する。外部ＬＬＲと事後ＬＬＲの違いは、それぞれ復号後のＬＬＲから復号部１５１２−１〜１５１２−ｕに入力される事前ＬＬＲを減算するか、否かである。復号部１５１２−１〜１５１２−ｕは、ＳＩＣやターボ等化の繰り返し回数が所定の回数に達した場合、復号処理後のＬＬＲに対して硬判定を行い、各端末装置における上りリンクデータのビット系列を、上位層処理
部１０２に出力する。
【０１１９】
レプリカ生成部１５１４は、各復号部から入力されたＬＬＲ系列を、各端末装置が上りリンクデータに施した変調方式に応じて各端末装置のシンボルレプリカを生成する。レプリカ生成部１５１４は、前記シンボルレプリカに対して、各端末装置が上りリンクデータに施した拡散符号系列を乗算する。さらに、レプリカ生成部１５１４は、拡散符号系列乗算後の信号をＤＦＴで周波数領域の信号に変換する。そして、レプリカ生成部１５１４は、ＤＦＴ後の信号に対して、伝搬路推定部１１２２から入力された周波数応答を乗算することでソフトレプリカを生成する。なお、図８では、ターボ等化処理を用いた信号検出を説明したが、最尤検出、ＥＭＭＳＥ−ＩＲＣなどを用いることもできる。
【０１２０】
図１３は、本実施形態に係るグラントフリーアクセスにおける基地局装置及び通信装置間のシーケンス例を示す図である。基地局装置１０は、下りリンクにおいて、同期信号、報知チャネルを所定の無線フレームフォーマットに従って、定期的に送信する。端末装置２０は、同期信号、報知チャネル等を用いて、初期接続を行う（Ｓ１０１）。端末装置２０は、同期信号を用いて、下りリンクにおけるフレーム同期、シンボル同期を行う。前記報知チャネルにグラントフリーアクセスに関する設定情報が含まれている場合、端末装置２０は、接続したセルにおけるグラントフリーアクセスに関する設定を取得する。基地局装置１０は、初期接続において、各端末装置２０にＵＥ  ＩＤを通知することができる。
【０１２１】
端末装置は、ＵＥ  Ｃａｐａｂｉｌｉｔｙを送信する（Ｓ１０２）。基地局装置は、前記ＵＥ  Ｃａｐａｂｉｌｉｔｙを用いて、端末装置がグラントフリーアクセスをサポートしているか、を特定することができる。なお、Ｓ１０１〜Ｓ１０３において、端末装置は、上りリンク同期やＲＲＣ接続要求のためのリソースを取得するために、物理ランダムアクセスチャネルを送信することができる。
【０１２２】
基地局装置１０は、ＲＲＣメッセージ、ＳＩＢ等を用いて、グラントフリーアクセスに関する設定情報を端末装置２０の各々に送信する（Ｓ１０３）。グラントフリーアクセスに関する設定情報は、図６から図９に基づいて割当てられたマルチアアクセス署名プロセスインデックス）を含む。グラントフリーアクセスに関する設定情報を受信した端末装置２０は、図６から図１０に基づいて、上りリンクデータに施される拡散符号系列などの送信パラメータを取得する。なお、前記グラントフリーアクセスに関する設定情報の一部又は全部は、下りリンク制御情報によって、通知されてもよい。各端末装置２０は、前記マルチアアクセス署名プロセスインデックスによって、上りリンクデータの送信に用いる復調用参照信号、拡散符号系列等を取得する。
【０１２３】
グラントフリーアクセスをサポートする端末装置２０は、上りリンクデータが発生した場合、自端末に割当てられた復調用参照信号を生成する。さらに、前記復調用参照信号と関連付けられた拡散符号系列等を用いて、上りリンク物理チャネルを生成する（Ｓ１０４）。基地局装置１０からＵＬ  Ｇｒａｎｔを得ることなく、該上りリンク物理チャネル及び復調用参照信号を送信する（Ｓ１０５）。
【０１２４】
基地局装置１０は、各端末装置２０に割当てた復調用参照信号を用いて、端末装置２０の識別処理を行う。さらに、基地局装置１０は、識別した端末装置２０について、前記復調用参照信号と関連付けられた拡散符号系列等を用いて、上りリンク物理チャネルの検出処理を行う。基地局装置１０は、さらに、各端末装置に割当てたＵＥ  ＩＤを用いた誤り検出処理を行う（Ｓ１０６）。基地局装置１０は、前記誤り検出の結果を基に、端末装置２０にＡＣＫ／ＮＡＣＫを送信する（Ｓ１０７）。Ｓ１０６において、誤りが検出されなかった場合、基地局装置１０は、端末装置の識別及び該端末装置が送信した上りリンクデータの受信を正しく完了したと判断し、ＡＣＫを送信する。一方、Ｓ１０６において、誤
りが検出された場合、基地局装置１０は、端末装置の識別又は該端末装置が送信した上りリンクデータの受信を誤ったと判断し、ＮＡＣＫを送信する。
【０１２５】
ＮＡＣＫを受信した端末装置２０は、再度上りリンク物理チャネル及び参照信号を送信する（Ｓ１０８）。端末装置２０は、基地局装置１０から図１０の参照テーブルを指示されている場合、該参照テーブルに従って、拡散符号系列インデックスの変更を行う。基地局装置１０は、再送された上りリンク物理チャネルに対して、上りリンク物理チャネルの検出処理を行う（Ｓ１０９）。基地局装置１０は、さらに、各端末装置に割当てたＵＥ  ＩＤを用いた誤り検出処理を行う（Ｓ１０９）。基地局装置１０は、前記誤り検出の結果を基に、端末装置２０にＡＣＫ／ＮＡＣＫを送信する（Ｓ１１０）。
【０１２６】
本実施形態では、基地局装置１０は、グラントフリーアクセスにおいて、拡散符号系列と関連付けられた復調用参照信号インデックスを各端末装置に割当て、該復調用参照信号インデックスをマルチアクセス署名プロセスインデックスによって各端末装置に通知する。基地局装置１０は、前記端末装置２０に割当てた復調用参照信号を用いて、端末装置の識別処理を行う。基地局装置１０は、前記識別処理において、上りリンクデータを送信したと判断した端末装置に対して、復調用参照信号に関連付けられた拡散符号系列を用いて、信号検出処理などの受信処理を行う。これにより、本実施形態に係るグラントフリーアクセスは、非直交多元接続された各端末装置の識別並びに上りリンクデータの信号検出の処理負荷の増大及び識別精度の低下を抑えることができる。また、本実施形態に係る通信システムは、グラントフリーアクセスの設定情報によるオーバーヘッドを低減することができる。さらに、基地局装置１０は、端末装置の識別及び信号検出処理の実施回数を減らすことができる。また、基地局装置１０は、別途、ＵＥ  ＩＤを各端末装置に割当て（前記復調用インデックスと関連付けられていないＵＥ  ＩＤを各端末装置に割当て）、該ＵＥ  ＤＩを各端末装置に通知することができる。これにより、端末装置の識別の失敗が増加したり、拡散符号系列の割当てが偏ったりした場合に、復調用参照信号インデックスの割当てを変更することで、柔軟に対応することができる。
【０１２７】
（第２の実施形態）
本実施形態は、グラントフリーアクセスにおいて、復調用参照信号が、上りリンク物理チャネルに施される拡散符号系列及び送信電力と関連付けられる一例である。本実施形態に係る通信システムは、図３、図１０及び図１１で説明した基地局装置１０及び端末装置２０で構成される。以下、第１の実施形態との相違点／追加点を主に説明する。
【０１２８】
図１４は、本実施形態に係るグラントフリーアクセスにおける設定パラメータの関連付けを指示するテーブルの一例である。マルチアクセス署名プロセスインデックスは、１つの復調用参照信号インデックス、１つの拡散符号インデックス及び１つの送信電力インデックスと関連付けられる。復調用参照信号インデックス、拡散符号インデックス及び送信電力インデックスは、マルチアクセス署名プロセスインデックスが一意的になるように、関連付けられる。基地局装置１０及び端末装置２０は、マルチアクセス署名プロセスインデックスによって、マルチ復調用参照信号インデックス、拡散符号インデックス及び送信電力インデックスを一意的に特定することができる。基地局装置１０及び端末装置２０は、マルチ復調用参照信号インデックス及び拡散符号インデックスによって、送信電力インデックスを一意的に特定することができる。図１４において、復調用参照信号インデックスは、図９のテーブルに従って、復調用参照信号系列と関連付けられる。拡散符号インデックスは、図８と同様に、一意的に拡散符号系列と関連付けられる。送信電力インデックスは、送信電力値／目標受信電力値／最大送信電力値と関連付けられえる。例えば、送信電力インデックスが１ビットで構成される場合、送信電力インデックス＃０＝ＡｄＢｍ、送信電力インデックス＃１＝ＢｄＢｍ（Ａ＜Ｂ）の送信電力を指し示す。ここで、送信電力インデックスはユーザ固有の目標受信電力の増減の量としても良いし、フラクショナル
ＴＰＣの係数の値としても良いし、閉ループのＴＰＣコマンドの絶対値もしくは累積値としても良い。
【０１２９】
基地局装置１０は、接続を確立した端末装置２０に対して、マルチアクセス署名プロセスインデックスを割当てる。例えば、上位層処理部１０２は、復調用参照信号を２つのＯＦＤＭシンボルにマッピングする設定を行う場合、図１４のテーブルに従って、マルチアアクセス署名プロセスインデックスを各端末装置に割当てる。上位層処理部１０２は、各端末装置のために、前記マルチアアクセス署名プロセスインデックスを含むグラントフリーアクセスに関する設定情報を生成する。復調用参照信号を２つのＯＦＤＭシンボルにマッピングする設定を行う場合、上位層処理部１０２は、図８の参照用テーブルと図１４の参照用テーブルを選択することができる。この場合、いずれのテーブルを参照するかは、参照テーブルの設定により通知される。
【０１３０】
端末装置２０の制御部２０８は、基地局装置１０によって図１４の参照用テーブルが指示された場合、前記グラントフリーアクセスに関する設定情報に含まれる前記マルチアアクセス署名プロセスインデックスを基に、上りリンク物理チャネルに施す拡散符号並びに送信電力、及び前記上りリンク物理チャネルに関連付けられる復調用参照信号系列の設定を取得する。上りリンク参照信号生成部２１１２は、前記マルチアアクセス署名プロセスインデックスに関連付けられる復調用参照信号の生成パラメータ（サイクリックシフト、ＯＣＣ系列）に従って、復調用参照信号を生成する。拡散部２１０６は、ＤＦＴ部２１０４からの出力される系列に対して、前記マルチアクセス署名プロセスインデックスに関連付けられた拡散符号系列を乗算する。無線送信部２１１０に含まれる送信電力制御部は、前記マルチアアクセス署名プロセスインデックスに関連付けられた送信電力に従って、送信電力制御を行う。
【０１３１】
基地局装置１０の伝搬路推定部１１２２は、端末装置２０に割当てたマルチアアクセス署名プロセスインデックスの範囲において、図１４の参照テーブルに従って、該マルチアアクセス署名プロセスインデックスに関連付けられた前記復調用参照信号を用いて、端末装置の識別及び上りリンク物理チャネルの信号検出のためのチャネル推定を行う。信号検出部１１２６は、図１４の参照テーブルに従って、上りリンクデータを送信したと判断した端末装置に割当てた復調用参照信号（チャネル状態の抽出に成功した復調用参照信号）に関連付けられた拡散符号系列及び送信電力の情報を用いて、端末装置の識別及び上りリンク物理チャネルの信号検出を行う。逆拡散部１５０６−１〜１５０６−ｕの各々は、各端末装置に割当てられた復調用参照信号インデックスに関連付けられた拡散符号系列を用いて、逆拡散処理を行う。信号検出部１１２６は、復調用参照信号インデックス及び拡散符号インデックスが同一である複数のマルチアクセス署名インデックスを端末装置２０に割当てている場合（例えば、マルチアクセス署名インデックス＃０を端末装置２０−１に割当て、マルチアクセス署名インデックス＃１を端末装置２０−２に割当てた場合）、送信電力の大きいマルチアクセス署名インデックス＃１を割当てた端末装置２０−２の上りリンク物理チャネルの信号検出処理を行う。次に、信号検出部１１２６は、前記端末装置２０−２の上りリンク物理チャネルの信号検出処理から生成したソフトレプリカを多重分離部１１２４から入力される周波数領域の信号から減算した後、マルチアクセス署名インデックス＃０を割当てた端末装置２０−１の検出処理を行う。なお、基地局装置１０は、図１４の参照テーブルに従って、復調用参照信号インデックスを送信してもよい。この場合、基地局装置１０は、各復調用参照信号インデックスに関連づけられた拡散符号系列及び送信電力を用いて、信号検出処理を実施する。
【０１３２】
本実施形態では、基地局装置１０は、グラントフリーアクセスにおいて、１つの復調用参照信号インデックス、１つの拡散符号インデックス及び１つの送信電力インデックスと関連付けられるマルチアクセス署名プロセスインデックスを各端末装置に割当て、該マル
チアクセス署名プロセスインデックスを各端末装置に通知する。基地局装置１０は、前記端末装置２０に割当てたマルチアクセス署名プロセスインデックスに関連付けられる復調用参照信号を用いて、端末装置の識別処理を行う。基地局装置１０は、前記識別処理において、上りリンクデータを送信したと判断した端末装置に対して、復調用参照信号に関連付けられた拡散符号系列及び送信電力情報を用いて、信号検出処理などの受信処理を行う。これにより、本実施形態に係るグラントフリーアクセスは、非直交多元接続された各端末装置の識別並びに上りリンクデータの信号検出の処理負荷の増大及び識別精度の低下を抑えることができる。また、本実施形態に係る通信システムは、マルチアクセス署名プロセスインデックス数を増やしつつ、グラントフリーアクセスの設定情報によるオーバーヘッドを低減することができる。
【０１３３】
（第３の実施形態）
本実施形態は、マルチセル環境において、グラントフリーアクセスをサポートする基地局装置が、復調用参照信号と上りリンク物理チャネルに施される拡散符号系列を関連付ける一例である。本実施形態に係る通信システムは、図３、図１０及び図１１で説明した基地局装置１０及び端末装置２０で構成される。以下、第１の実施形態及び第２の実施形態との相違点／追加点を主に説明する。
【０１３４】
図１５は、本実施形態に係る通信システムの構成例を示す図である。本実施形態における通信システムは、基地局装置１０、１２、１４、端末装置２０−１〜２０−ｎ１、端末装置２２−１〜２２−ｎ２、端末装置２４−１〜２４−ｎ３、（ｎ１、ｎ２、ｎ３は各々、基地局装置１０、１２、１４と接続している端末装置数）を備える。端末装置２０−１〜２０−ｎ１は総称して、端末装置２０とも称する。同様に、端末装置２２−１〜２２−ｎ１は、端末装置２２とも称する。端末装置２４−１〜２４−ｎ１は、端末装置２４とも称する。カバレッジ１０ａ、１２ａ、１４ａは各々、基地局装置１０、１２、１４が端末装置と接続可能な範囲（通信エリア）である。図１において、基地局装置１０、１２、１４は各々、端末装置２０、２２、２４と接続している。
【０１３５】
図１６は、本実施形態に係るグラントフリーアクセスにおける設定パラメータの関連付けを指示するテーブルの一例である。１つのマルチアクセス署名プロセスインデックスは、１つの復調用参照信号インデックスと関連付けられる。１つのマルチアクセス署名プロセスインデックスは、複数の拡散符号インデックスパターンと関連付けられる。図１６において、１つのマルチアクセス署名プロセスインデックスは３つの拡散符号インデックスパターン（Spreading Code index0、Spreading Code index1、Spreading Code index2）
と関連付けられる。各拡散符号インデックスパターンは、基地局装置が備えるセルに関連付けることができる。例えば、図１６において、拡散符号インデックスパターン０（Spreading Code index0）、拡散符号インデックスパターン１（Spreading Code index1）及び拡散符号インデックスパターン２（Spreading Code index2）は、図１５のセル１０ａ、
１２ａ、１４ａに関連付けられる。なお、拡散符号インデックスパターン数は、拡散符号系列長に応じて増やすこともできる。
【０１３６】
各セルにおいて、マルチアアクセス署名プロセスインデックスが一意的になるように、復調用参照信号インデックスは、各拡散符号インデックスパターンと関連付けられる。基地局装置１０及び端末装置２０は、復調用参照信号インデックスと拡散符号インデックスパターン０を関連付けるマルチアクセス署名プロセスインデックスによって、復調用参照信号系列と拡散符号系列を一意的に特定（識別）することができる。基地局装置１０及び端末装置２０は、復調用参照信号インデックスによって、拡散符号インデックスパターン０における拡散符号系列を一意的に特定（識別）することができる。
【０１３７】
基地局装置１２及び端末装置２２は、復調用参照信号インデックスと拡散符号インデッ
クスパターン１を関連付けるマルチアクセス署名プロセスインデックスによって、復調用参照信号系列と拡散符号系列を一意的に特定（識別）することができる。基地局装置１４及び端末装置２４は、復調用参照信号インデックスと拡散符号インデックスパターン２を関連付けるマルチアクセス署名プロセスインデックスによって、復調用参照信号系列と拡散符号系列を一意的に特定（識別）することができる。
【０１３８】
各マルチアクセス署名プロセスインデックスにおいて、復調用参照信号インデックスと各拡散符号インデックスパターンの組合せは直交する。各拡散符号インデックスパターンは、基準となる拡散符号インデックスパターンの拡散符号インデックスをサイクリックシフトして生成される。図１６において、拡散符号インデックスパターン１（Spreading Code index1）は、各マルチアクセス署名プロセスインデックスにおいて、基準となる拡散
符号インデックスパターン０（Spreading Code index0）の拡散符号インデックスを１つ
サイクリックシフトして生成される。拡散符号インデックスパターン１（Spreading Code
index1）は、基準となる拡散符号インデックスパターン０の拡散符号インデックスを、
２つサイクリックシフトして生成される。
【０１３９】
拡散符号インデックスパターンとセルとの関連付けは、各セルのセルＩＤを用いて算出してもよい。例えば、セルのセルＩＤに対してＭｏｄｕｌｏ  ３の計算結果が０の場合、そのセルは、拡散符号インデックスパターン０と関連付けられる。セルのセルＩＤに対してＭｏｄｕｌｏ  ３の計算結果が１の場合、そのセルは、拡散符号インデックスパターン１と関連付けられる。セルのセルＩＤに対してＭｏｄｕｌｏ  ３の計算結果が２の場合、そのセルは、拡散符号インデックスパターン２と関連付けられる。
【０１４０】
基地局装置１０、１２、１４は各々、図１６の参照テーブルに従って、接続を確立した端末装置２０、２２、２４に対して、マルチアクセス署名プロセスインデックスを割当てる。基地局装置１０、１２、１４は、各端末装置に、前記マルチアアクセス署名プロセスインデックスを含むグラントフリーアクセスに関する設定情報を送信する。なお、基地局装置１０、１２、１４は、前記マルチアアクセス署名プロセスインデックスに代えて、復調用参照信号インデックスを含むグラントフリーアクセスに関する設定情報を送信してもよい。
【０１４１】
端末装置２０、２２、２４の制御部２０８は、前記マルチアアクセス署名プロセスインデックスとセルＩＤを基に、図１６の参照テーブルに従って、上りリンク物理チャネルに施す拡散符号及び前記上りリンク物理チャネルに関連付けられる復調用参照信号系列の設定を取得する。送信部２１０は、前記制御部２０８が取得した拡散符号系列及び復調用参照信号系列を用いて生成した上りリンク物理チャネル及び復調用参照信号を送信する。例えば、基地局装置１０に接続する端末装置２０−１と基地局装置１４に接続する端末装置２４−１の両方にマルチアクセス署名プロセスインデックス＃０が割当たられた場合、端末装置２０−１は、マルチアクセス署名プロセスインデックス＃０に関連付けられた復調用参照信号インデックス及び拡散符号インデックスパターン０を基に、拡散符号系列及び復調用参照信号系列を生成する。一方、端末装置２４−１は、マルチアクセス署名プロセスインデックス＃０に関連付けられた復調用参照信号インデックス及び拡散符号インデックスパターン２を基に、拡散符号系列及び復調用参照信号系列を生成する。
【０１４２】
本実施形態によれば、隣接セルにおいて、同一のマルチアクセス署名プロセスインデックスが端末装置に割当てられた場合であっても、隣接セル間において、復調用参照信号と拡散符号の組合せによる直交性を保つことができるため、セル間干渉を軽減することができる。
【０１４３】
（第４の実施形態）
本実施形態は、グラントフリーアクセスにおいて、復調用参照信号及び上りリンク物理チャネルに施される拡散符号系列がＵＥ  ＩＤと関連付けられる一例である。本実施形態に係る通信システムは、図３、図１０及び図１１で説明した基地局装置１０及び端末装置２０で構成される。以下、第１の実施形態から第３の実施形態との相違点／追加点を主に説明する。
【０１４４】
図１７は、本実施形態に係るグラントフリーアクセスにおける設定パラメータの関連付けを指示するテーブルの一例である。マルチアクセス署名プロセスインデックスは、１つの復調用参照信号インデックス、１つの拡散符号インデックス及び１つのＵＥ  ＩＤと関連付けられる。復調用参照信号インデックスは、マルチアクセス署名プロセスインデックスが一意的になるように、拡散符号インデックスと関連付けられる。マルチアクセス署名プロセスインデックスは、ＵＥ  ＩＤと１対１に関連付けられる。基地局装置１０及び端末装置２０は、マルチアクセス署名プロセスインデックス（又はＵＥ  ＩＤ）によって、復調用参照信号系列と拡散符号系列を一意的に特定（識別）することができる。基地局装置１０及び端末装置２０は、復調用参照信号インデックスによって、拡散符号系列を一意的に特定（識別）することができる。図１７において、復調用参照信号インデックスは、図９のテーブルに従って、復調用参照信号系列と関連付けられる。拡散符号インデックスは、図８と同様に、一意的に拡散符号系列と関連付けられる。
【０１４５】
端末装置２０の制御部２０８は、基地局装置１０によって図１７の参照用テーブルが指示された場合、受信したＵＥ  ＩＤを用いて、図１７の参照テーブルを基に、上りリンク物理チャネルに施す拡散符号及び前記上りリンク物理チャネルに関連付けられる復調用参照信号系列の設定を取得する。送信部２１０は、前記制御部２０８が取得した拡散符号系列及び復調用参照信号系列を用いて生成した上りリンク物理チャネル及び復調用参照信号を送信する。
【０１４６】
基地局装置１０の伝搬路推定部１１２２は、端末装置２０に割当てたＵＥ  ＩＤの範囲において、図１７の参照テーブルに従って、該ＵＥ  ＩＤと関連付けられた復調用参照信号を用いて、端末装置の識別及び上りリンク物理チャネルの信号検出のためのチャネル推定を行う。信号検出部１１２６は、図１７の参照テーブルに従って、上りリンクデータを送信したと判断した端末装置に割当てた復調用参照信号（チャネル状態の抽出に成功した復調用参照信号）に関連付けられた拡散符号系列の情報を用いて、端末装置の識別及び上りリンク物理チャネルの信号検出を行う。
【０１４７】
本実施形態では、基地局装置１０は、グラントフリーアクセスにおいて、１つの復調用参照信号インデックス、１つの拡散符号インデックス及び１つのＵＥ  ＩＤと関連付けられるマルチアクセス署名プロセスインデックスを各端末装置に割当て、ＵＥ  ＩＤを各端末装置に通知する。基地局装置１０及び端末装置２０は、マルチアクセス署名プロセスインデックスによって、復調用参照信号系列、拡散符号系列及びＵＥ  ＩＤを一意的に特定（識別）することができる。基地局装置１０は、前記端末装置２０に割当てたＵＥ  ＩＤに関連付けられる復調用参照信号及び拡散符号を用いて、端末装置の識別処理及び上りリンク物理チャネルの信号検出処理を行う。これにより、本実施形態に係るグラントフリーアクセスは、非直交多元接続された各端末装置の識別並びに上りリンクデータの信号検出の処理負荷の増大及び識別精度の低下を抑えることができる。また、端末装置はＵＥ  ＩＤによって、上りリンク物理チャネルに施す拡散符号系列及び復調用参照信号系列を特定できるため、本実施形態に係る通信システムは、グラントフリーアクセスの設定情報によるオーバーヘッドを低減することができる。
【０１４８】
（第５の実施形態）
本実施形態は、グラントフリーアクセスにおいて、復調用参照信号及び上りリンク物理
チャネルに施される拡散符号系列がＵＥ  ＩＤグループと関連付けられる一例である。本実施形態に係る通信システムは、図３、図１０及び図１１で説明した基地局装置１０及び端末装置２０で構成される。以下、第１の実施形態から第４の実施形態との相違点／追加点を主に説明する。
【０１４９】
図１８は、本実施形態に係るグラントフリーアクセスにおける設定パラメータの関連付けを指示するテーブルの一例である。マルチアクセス署名プロセスインデックスは、１つの復調用参照信号インデックス、１つの拡散符号インデックス及び１つのＵＥ  ＩＤグループと関連付けられる。復調用参照信号インデックスは、マルチアクセス署名プロセスインデックスが一意的になるように拡散符号インデックスと関連付けられる。マルチアクセス署名プロセスインデックスは、ＵＥ  ＩＤグループと１対１に関連付けられる。ＵＥ  ＩＤグループは、複数のＵＥ  ＩＤから成る。図１８は、１つのＵＥ  ＩＤグループに４つのＵＥ  ＩＤを含む例である。基地局装置１０及び端末装置２０は、マルチアクセス署名プロセスインデックスによって、復調用参照信号系列、拡散符号系列及びＵＥ  ＩＤグループを一意的に特定（識別）することができる。基地局装置１０及び端末装置２０は、復調用参照信号インデックスによって、拡散符号系列及びＵＥ  ＩＤグループを一意的に特定（識別）することができる。図１８において、復調用参照信号インデックスは、図９のテーブルに従って、復調用参照信号系列と関連付けられる。拡散符号インデックスは、図８と同様に、一意的に拡散符号系列と関連付けられる。
【０１５０】
基地局装置１０は、各端末装置に割当てたＵＥ  ＩＤを送信する。基地局装置１０は、図１８の参照テーブルに従って、前記ＵＥ  ＩＤが属するＵＥ  ＩＤグループに関連付けられるマルチアクセス署名プロセスインデックスを各端末装置に割当てる。端末装置２０の制御部２０８は、基地局装置１０によって図１８の参照用テーブルが指示された場合、受信したＵＥ  ＩＤを用いて、図１８の参照テーブルを基に、上りリンク物理チャネルに施す拡散符号及び前記上りリンク物理チャネルに関連付けられる復調用参照信号系列の設定を取得する。送信部２１０は、前記ＵＥ  ＩＤを含むＵＥ  ＩＤグループと関連付けられる復調用参照信号及び拡散符号系列を用いて、復調用参照信号及び上りリンク物理チャネルを生成する。送信部２１０は、前記生成した上りリンク物理チャネル及び復調用参照信号を送信する。基地局装置１０は、各端末装置に、前記マルチアアクセス署名プロセスインデックスを含むグラントフリーアクセスに関する設定情報を送信することもできる。基地局装置１０は、前記マルチアアクセス署名プロセスインデックスに代えて、復調用参照信号インデックス／ＵＥ  ＩＤグループを含むグラントフリーアクセスに関する設定情報を送信してもよい。
【０１５１】
端末装置２０の上位層処理部２０６は、前記ＵＥ  ＩＤを用いて、上りリンク共有チャネルに付加されるＣＲＣをスクランブルする。端末装置２０の制御部２０８は、前記マルチアアクセス署名プロセスインデックスを基に、図１８の参照テーブルに従って、上りリンク物理チャネルに施す拡散符号及び前記上りリンク物理チャネルに関連付けられる復調用参照信号系列の設定を取得する。送信部２１０は、前記制御部２０８が取得した拡散符号系列及び復調用参照信号系列を用いて生成した上りリンク物理チャネル及び復調用参照信号を送信する。
【０１５２】
基地局装置１０の伝搬路推定部１１２２は、端末装置２０に割当てたマルチアアクセス署名プロセスインデックスの範囲において、図１８の参照テーブルに従って、復調用参照信号を用いて、端末装置の識別及び上りリンク物理チャネルの信号検出のためのチャネル推定を行う。信号検出部１１２６は、図１８の参照テーブルに従って、上りリンクデータを送信したと判断した端末装置に割当てた復調用参照信号（チャネル状態の抽出に成功した復調用参照信号）に関連付けられた拡散符号系列を用いて、端末装置の識別及び上りリンク物理チャネルの信号検出を行う。基地局装置１０の上位層処理部１０２は、信号検出
部１１２６から出力された復号後の上りリンクデータ（硬判定後のビット系列）に含まれるＣＲＣに対して、チャネル状態の抽出に成功した復調用参照信号に関連付けられたＵＥ
ＩＤを用いて、デスクランブル処理を行う。例えば、復調用参照信号インデックス＃０を用いてチャネル状態の抽出に成功した場合、上位層処理部１０２は、復調用参照信号インデックス＃０に関連付けられるＵＥ  ＩＤグループ＃０に含まれるＵＥ  ＩＤ＃０〜＃３によって、デスクランブル処理を行う。上位層処理部１０２は、デスクランブルによる誤り検出の結果、上りリンクデータに誤りが無い場合、端末装置の識別を正しく完了し、該端末装置から送信された上りリンクデータを正しく受信できたと判断する。
【０１５３】
本実施形態では、グラントフリーアクセスにおいて、１つの復調用参照信号インデックス、１つの拡散符号インデックスと関連付けられるマルチアクセス署名プロセスインデックスが、ＵＥ  ＩＤグループと関連付けられる。基地局装置１０及び端末装置２０は、マルチアクセス署名プロセスインデックスによって、復調用参照信号系列、拡散符号系列及びＵＥ  ＩＤグループを一意的に特定（識別）することができる。ＵＥ  ＩＤ  グループは、複数のＵＥ  ＩＤと関連付けられる。これにより、本実施形態に係る基地局装置は、ＣＲＣに対するデスクランブルにおいて、ＵＥ  ＩＤグループに含まれるＵＥ  ＩＤに制限して誤り検出処理をすればよいため、グラントフリーアクセスにおける各端末装置の識別並びに上りリンクデータの信号検出の処理負荷の増大を抑えることができる。なお、基地局装置１０は、図６、図８、図１０、図１４及び図１６〜１８の参照テーブルから選択して、グラントフリーアクセスに用いる設定情報を生成してもよい。
【０１５４】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５５】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１５６】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５７】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプ
ログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１５８】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１６０】
本発明は、基地局装置、端末装置および通信方法に用いて好適である。
【符号の説明】
【０１６１】
１０、１２、１４  基地局装置
２０−１〜２０−ｎ１、２２−１〜２２−ｎ２、２４−１〜２４−ｎ３  端末装置
１０ａ  基地局装置１０が端末装置と接続可能な範囲
１２ａ  基地局装置１２が端末装置と接続可能な範囲
１４ａ  基地局装置１４が端末装置と接続可能な範囲
１０２  上位層処理部
１０４  送信部
１０６送信アンテナ
１０８  制御部
１１０  受信アンテナ
１１２  受信部
１０４０  符号化部
１０４２  変調部
１０４４  多重部
１０４６  下りリンク制御信号生成部
１０４８  下りリンク参照信号生成部
１０５０  無線送信部
１１２０  無線受信部
１１２２  伝搬路推定部
１１２４  多重分離部
１１２６  信号検出部
１５０２  キャンセル部
１５０４  等化部
１５０６−１〜１５０６−ｕ  逆拡散部
１５０８−１〜１５０８−ｕ  ＩＤＦＴ部
１５１０−１〜１５１０−ｕ  復調部
１５１２−１〜１５１２−ｕ  復号部
１５１４  レプリカ生成部
２０２  受信アンテナ
２０４  受信部
２０６  上位層処理部
２０８  制御部
２１０  送信部
２１２  送信アンテナ
２１００  符号化部
２１０２  変調部
２１０４  ＤＦＴ部
２１０６  拡散部
２１０８  多重部
２１１０  無線送信部
２１１２  上りリンク参照信号生成部
２０４０  無線受信部
２０４２  多重分離部
２０４４  復調部
２０４６  復号部
【図１】
2019208086.tif 000004
【図２】
2019208086.tif 000005
【図３】
2019208086.tif 000006
【図４】
2019208086.tif 000007
【図５】
2019208086.tif 000008
【図６】
2019208086.tif 000009
【図７】
2019208086.tif 000010
【図８】
2019208086.tif 000011
【図９】
2019208086.tif 000012
【図１０】
2019208086.tif 000013
【図１１】
2019208086.tif 000014
【図１２】
2019208086.tif 000015
【図１３】
2019208086.tif 000016
【図１４】
2019208086.tif 000017
【図１５】
2019208086.tif 000018
【図１６】
2019208086.tif 000019
【図１７】
2019208086.tif 000020
【図１８】
2019208086.tif 000021